(57)【特許請求の範囲】
【請求項１】
ドア本体（１）の一方の表面（１ａ）または他方の表面（１ｂ）に対して概略垂直に延びている軸部（２ａ）と、ドア本体（１）の一方の表面（１ａ）または他方の表面（１ｂ）に対して概略平行に延びている取っ手部（２ｂ）とを有し、ドア本体（１）に対して回転可能に構成された概略Ｌ字状のドアハンドル（２）を具備するドアハンドル装置（１０）において、
ドア本体（１）によって、または、ドア本体（１）に固定されたドア本体（１）とは別個の部材によって、発光素子光源（３）を支持し、
ドアハンドル（２）の軸部（２ａ）に概略平行な軸部平行部分（４ａ１）と、ドアハンドル（２）の取っ手部（２ｂ）に概略平行な取っ手部平行部分（４ａ２）と、軸部平行部分（４ａ１）と取っ手部平行部分（４ａ２）とを橋絡する湾曲部分（４ａ３）とを有する概略Ｌ字状の導光部材（４ａ）の一部をドアハンドル（２）内に配置し、
発光素子光源（３）からの光が入射する入射面（４ａ１ａ）と、ドア本体（１）に対するドアハンドル（２）の回転量が第１角度の時に入射面（４ａ１ａ）からの光を反射して湾曲部分（４ａ３）に導光する第１反射面（４ａ１ｂ）と、ドア本体（１）に対するドアハンドル（２）の回転量が第１角度とは異なる第２角度の時に入射面（４ａ１ａ）からの光を反射して湾曲部分（４ａ３）に導光する第２反射面（４ａ１ｃ）とを導光部材（４ａ）の軸部平行部分（４ａ１）に設け、
導光部材（４ａ）の湾曲部分（４ａ３）から取っ手部平行部分（４ａ２）に導光された光を出射する出射面（４ａ２ａ）を、導光部材（４ａ）の取っ手部平行部分（４ａ２）のうち、ドア本体（１）の反対側の部分に設け、
導光部材（４ａ）の取っ手部平行部分（４ａ２）の出射面（４ａ２ａ）からの光を透過させる開口（２ｂ１）をドアハンドル（２）の取っ手部（２ｂ）に設けたことを特徴とするドアハンドル装置（１０）。
【請求項２】
ドア本体（１）に対するドアハンドル（２）の回転量が第１角度の時に入射面（４ａ１ａ）からの光を反射する第１反射面（４ａ１ｂ）と、ドア本体（１）に対するドアハンドル（２）の回転量が第１角度とは異なる第２角度の時に入射面（４ａ１ａ）からの光を反射する第２反射面（４ａ１ｃ）とを異なる平面または放物面によって構成したことを特徴とする請求項１に記載のドアハンドル装置（１０）。
【請求項３】
ドアハンドル（２）の軸部（２ａ）に対して概略平行に延びている長軸と、ドアハンドル（２）の取っ手部（２ｂ）に対して概略平行に延びている短軸とを有する楕円弧によって、導光部材（４ａ）の湾曲部分（４ａ３）の中心軸線（４ａ３ＣＬ）を構成したことを特徴とする請求項１又は２に記載のドアハンドル装置（１０）。
【請求項４】
ドア本体（１）の一方の表面（１ａ）に対して概略垂直に延びている軸部（２ａ）と、ドア本体（１）の一方の表面（１ａ）に対して概略平行に延びている取っ手部（２ｂ）とを有し、ドア本体（１）に対して回転可能に構成された概略Ｌ字状の第１ドアハンドル（２）をドア本体（１）の一方の表面（１ａ）の側に配置し、
ドア本体（１）の他方の表面（１ｂ）に対して概略垂直に延びている軸部（２ａ’）と、ドア本体（１）の他方の表面（１ｂ）に対して概略平行に延びている取っ手部（２ｂ’）とを有し、ドア本体（１）に対して第１ドアハンドル（２）と一体的に回転可能に構成された概略Ｌ字状の第２ドアハンドル（２’）をドア本体（１）の他方の表面（１ｂ）の側に配置し、
第１ドアハンドル（２）の軸部（２ａ）に概略平行な軸部平行部分（４ａ１）と、第１ドアハンドル（２）の取っ手部（２ｂ）に概略平行な取っ手部平行部分（４ａ２）と、軸部平行部分（４ａ１）と取っ手部平行部分（４ａ２）とを橋絡する湾曲部分（４ａ３）とを有する概略Ｌ字状の導光部材（４ａ）を第１ドアハンドル（２）内に配置し、
第２ドアハンドル（２’）の取っ手部（２ｂ’）に概略平行な取っ手部平行部分（４ｂ１）と、概略Ｌ字状の第２ドアハンドル（２’）のコーナー部に対応する湾曲部分（４ｂ２）とを有する導光部材（４ｂ）を第２ドアハンドル（２’）内に配置し、
発光素子光源（３）からの光が入射する入射面（４ａ１ａ）と、ドア本体（１）に対する第１ドアハンドル（２）および第２ドアハンドル（２’）の回転量が第１角度の時に入射面（４ａ１ａ）からの光を反射して湾曲部分（４ａ３）に導光する第１反射面（４ａ１ｂ）と、ドア本体（１）に対する第１ドアハンドル（２）および第２ドアハンドル（２’）の回転量が第１角度とは異なる第２角度の時に入射面（４ａ１ａ）からの光を反射して湾曲部分（４ａ３）に導光する第２反射面（４ａ１ｃ）と、ドア本体（１）に対する第１ドアハンドル（２）および第２ドアハンドル（２’）の回転量が第１角度の時に入射面（４ａ１ａ）からの光を反射して導光部材（４ｂ）の湾曲部分（４ｂ２）に導光する第３反射面（４ａ１ｄ）と、ドア本体（１）に対する第１ドアハンドル（２）および第２ドアハンドル（２’）の回転量が第２角度の時に入射面（４ａ１ａ）からの光を反射して導光部材（４ｂ）の湾曲部分（４ｂ２）に導光する第４反射面（４ａ１ｅ）とを導光部材（４ａ）の軸部平行部分（４ａ１）に設け、
導光部材（４ａ）の湾曲部分（４ａ３）から取っ手部平行部分（４ａ２）に導光された光を出射する出射面（４ａ２ａ）を、導光部材（４ａ）の取っ手部平行部分（４ａ２）のうち、ドア本体（１）の反対側の部分に設け、
導光部材（４ａ）の取っ手部平行部分（４ａ２）の出射面（４ａ２ａ）からの光を透過させる開口（２ｂ１）を第１ドアハンドル（２）の取っ手部（２ｂ）に設け、
導光部材（４ｂ）の湾曲部分（４ｂ２）から取っ手部平行部分（４ｂ１）に導光された光を出射する出射面（４ｂ１ａ）を、導光部材（４ｂ）の取っ手部平行部分（４ｂ１）のうち、ドア本体（１）の反対側の部分に設け、
導光部材（４ｂ）の取っ手部平行部分（４ｂ１）の出射面（４ｂ１ａ）からの光を透過させる開口（２ｂ１’）を第２ドアハンドル（２’）の取っ手部（２ｂ’）に設けたことを特徴とする請求項１〜３のいずれか一項に記載のドアハンドル装置（１０）。
【請求項５】
導光部材（４ａ）および導光部材（４ｂ）を相対的に位置決めする位置決め部材（５ａ，５ｂ）を導光部材（４ａ）と導光部材（４ｂ）とに跨るように導光部材（４ａ）および導光部材（４ｂ）の周囲に配置したことを特徴とする請求項４に記載のドアハンドル装置（１０）。
【請求項６】
ドア本体（１）の一方の表面（１ａ）または他方の表面（１ｂ）に対して概略垂直に延びている軸部（２ａ）と、ドア本体（１）の一方の表面（１ａ）または他方の表面（１ｂ）に対して概略平行に延びている取っ手部（２ｂ）とを有し、ドア本体（１）に対して回転可能に構成された概略Ｌ字状のドアハンドル（２）を具備するドアハンドル装置（１０）において、
ドア本体（１）によって、または、ドア本体（１）に固定されたドア本体（１）とは別個の部材によって、発光素子光源（３）を支持し、
ドアハンドル（２）の取っ手部（２ｂ）に概略平行な取っ手部平行部分（４ｃ１）と、概略Ｌ字状のドアハンドル（２）のコーナー部に対応する湾曲部分（４ｃ２）とを有する導光部材（４ｃ）をドアハンドル（２）内に配置し、
発光素子光源（３）からの光が入射する入射面（４ｄ１）と、ドア本体（１）に対するドアハンドル（２）の回転量が第１角度の時に入射面（４ｄ１）からの光を反射して導光部材（４ｃ）の湾曲部分（４ｃ２）に導光する第１反射面（４ｄ２）と、ドア本体（１）に対するドアハンドル（２）の回転量が第１角度とは異なる第２角度の時に入射面（４ｄ１）からの光を反射して導光部材（４ｃ）の湾曲部分（４ｃ２）に導光する第２反射面（４ｄ３）とをドアハンドル（２）の軸部（２ａ）に概略平行な導光部材（４ｄ）に設け、
導光部材（４ｃ）の湾曲部分（４ｃ２）から取っ手部平行部分（４ｃ１）に導光された光を出射する出射面（４ｃ１ａ）を、導光部材（４ｃ）の取っ手部平行部分（４ｃ１）のうち、ドア本体（１）の反対側の部分に設け、
導光部材（４ｃ）の取っ手部平行部分（４ｃ１）の出射面（４ｃ１ａ）からの光を透過させる開口（２ｂ１）をドアハンドル（２）の取っ手部（２ｂ）に設けたことを特徴とするドアハンドル装置（１０）。
【発明の詳細な説明】
【技術分野】
【０００１】
本発明は、ドア本体の表面に対して概略垂直に延びている軸部と、ドア本体の表面に対して概略平行に延びている取っ手部とを有し、ドア本体に対して回転可能に構成された概略Ｌ字状のドアハンドルを具備するドアハンドル装置に関する。
【０００２】
特に、本発明は、ドア本体に対するドアハンドルの回転量が第１角度の時のみならず、ドア本体に対するドアハンドルの回転量が第１角度とは異なる第２角度の時にも、ドアハンドルの取っ手部が光って見えるようにしつつ、発光素子光源に電力を供給する電気配線の信頼性を向上させることができると共に、ドアハンドルの大型化を回避することができるドアハンドル装置に関する。
【背景技術】
【０００３】
従来から、ドア本体の表面に対して概略垂直に延びている軸部と、ドア本体の表面に対して概略平行に延びている取っ手部とを有し、ドア本体に対して回転可能に構成された概略Ｌ字状のドアハンドルを具備するドアハンドル装置が知られている。この種のドアハンドル装置の例としては、例えば特許文献１（特開２００８−１６９６２３号公報）に記載されたものがある。
【０００４】
特許文献１に記載されたドアハンドル装置では、発光素子光源からの光を拡散させて照射する光拡散板が、ドアハンドルの取っ手部の前面（つまり、ドアハンドルの取っ手部のうち、ドア本体の反対側の部分）に取り付けられている。そのため、特許文献１に記載されたドアハンドル装置では、発光素子光源を点灯することにより、ドアハンドルの取っ手部が光って見えるようにすることができる。
【０００５】
詳細には、特許文献１に記載されたドアハンドル装置では、ドアハンドルがドア本体に対して回転していない時のみならず、ドアハンドルがドア本体に対して回転している時も、発光素子光源を点灯することができるように構成されている。そのため、特許文献１に記載されたドアハンドル装置では、ドアハンドルがドア本体に対して回転していない時のみならず、ドアハンドルがドア本体に対して回転している時も、ドアハンドルの取っ手部が光って見えるようにすることができる。
【先行技術文献】
【特許文献】
【０００６】
【特許文献１】特開２００８−１６９６２３号公報
【発明の概要】
【発明が解決しようとする課題】
【０００７】
ところで、特許文献１に記載されたドアハンドル装置では、発光素子光源が、ドア本体に取り付けられるのではなく、ドア本体に対して回転するドアハンドルの取っ手部に収納されている。そのため、特許文献１に記載されたドアハンドル装置では、発光素子光源に電力を供給する電気配線を、ドア本体とドア本体に対して回転するドアハンドルとに跨って配置する必要がある。あるいは、特許文献１に記載されたドアハンドル装置では、発光素子光源に電力を供給する電源および電気配線を、発光素子光源および光拡散板と共にドアハンドルの取っ手部に取り付ける必要がある。
【０００８】
つまり、特許文献１に記載されたドアハンドル装置では、発光素子光源に電力を供給する電気配線がドア本体とドア本体に対して回転するドアハンドルとに跨って配置される場合に、ドアハンドルの使用回数の増加に伴って、発光素子光源に電力を供給する電気配線の信頼性が低下してしまう。あるいは、特許文献１に記載されたドアハンドル装置では、発光素子光源に電力を供給する電源および電気配線が発光素子光源および光拡散板と共にドアハンドルの取っ手部に取り付けられる場合に、ドアハンドルの取っ手部が大型化してしまう。
【０００９】
前記問題点に鑑み、本発明は、ドア本体に対するドアハンドルの回転量が第１角度の時のみならず、ドア本体に対するドアハンドルの回転量が第１角度とは異なる第２角度の時にも、ドアハンドルの取っ手部が光って見えるようにしつつ、発光素子光源に電力を供給する電気配線の信頼性を向上させることができると共に、ドアハンドルの大型化を回避することができるドアハンドル装置を提供することを目的とする。
【課題を解決するための手段】
【００１０】
請求項１に記載の発明によれば、ドア本体（１）の一方の表面（１ａ）または他方の表面（１ｂ）に対して概略垂直に延びている軸部（２ａ）と、ドア本体（１）の一方の表面（１ａ）または他方の表面（１ｂ）に対して概略平行に延びている取っ手部（２ｂ）とを有し、ドア本体（１）に対して回転可能に構成された概略Ｌ字状のドアハンドル（２）を具備するドアハンドル装置（１０）において、
ドア本体（１）によって、または、ドア本体（１）に固定されたドア本体（１）とは別個の部材によって、発光素子光源（３）を支持し、
ドアハンドル（２）の軸部（２ａ）に概略平行な軸部平行部分（４ａ１）と、ドアハンドル（２）の取っ手部（２ｂ）に概略平行な取っ手部平行部分（４ａ２）と、軸部平行部分（４ａ１）と取っ手部平行部分（４ａ２）とを橋絡する湾曲部分（４ａ３）とを有する概略Ｌ字状の導光部材（４ａ）の一部をドアハンドル（２）内に配置し、
発光素子光源（３）からの光が入射する入射面（４ａ１ａ）と、ドア本体（１）に対するドアハンドル（２）の回転量が第１角度の時に入射面（４ａ１ａ）からの光を反射して湾曲部分（４ａ３）に導光する第１反射面（４ａ１ｂ）と、ドア本体（１）に対するドアハンドル（２）の回転量が第１角度とは異なる第２角度の時に入射面（４ａ１ａ）からの光を反射して湾曲部分（４ａ３）に導光する第２反射面（４ａ１ｃ）とを導光部材（４ａ）の軸部平行部分（４ａ１）に設け、
導光部材（４ａ）の湾曲部分（４ａ３）から取っ手部平行部分（４ａ２）に導光された光を出射する出射面（４ａ２ａ）を、導光部材（４ａ）の取っ手部平行部分（４ａ２）のうち、ドア本体（１）の反対側の部分に設け、
導光部材（４ａ）の取っ手部平行部分（４ａ２）の出射面（４ａ２ａ）からの光を透過させる開口（２ｂ１）をドアハンドル（２）の取っ手部（２ｂ）に設けたことを特徴とするドアハンドル装置（１０）が提供される。
【００１１】
請求項２に記載の発明によれば、ドア本体（１）に対するドアハンドル（２）の回転量が第１角度の時に入射面（４ａ１ａ）からの光を反射する第１反射面（４ａ１ｂ）と、ドア本体（１）に対するドアハンドル（２）の回転量が第１角度とは異なる第２角度の時に入射面（４ａ１ａ）からの光を反射する第２反射面（４ａ１ｃ）とを異なる平面または放物面によって構成したことを特徴とする請求項１に記載のドアハンドル装置（１０）が提供される。
【００１２】
請求項３に記載の発明によれば、ドアハンドル（２）の軸部（２ａ）に対して概略平行に延びている長軸と、ドアハンドル（２）の取っ手部（２ｂ）に対して概略平行に延びている短軸とを有する楕円弧によって、導光部材（４ａ）の湾曲部分（４ａ３）の中心軸線（４ａ３ＣＬ）を構成したことを特徴とする請求項１又は２に記載のドアハンドル装置（１０）が提供される。
【００１３】
請求項４に記載の発明によれば、ドア本体（１）の一方の表面（１ａ）に対して概略垂直に延びている軸部（２ａ）と、ドア本体（１）の一方の表面（１ａ）に対して概略平行に延びている取っ手部（２ｂ）とを有し、ドア本体（１）に対して回転可能に構成された概略Ｌ字状の第１ドアハンドル（２）をドア本体（１）の一方の表面（１ａ）の側に配置し、
ドア本体（１）の他方の表面（１ｂ）に対して概略垂直に延びている軸部（２ａ’）と、ドア本体（１）の他方の表面（１ｂ）に対して概略平行に延びている取っ手部（２ｂ’）とを有し、ドア本体（１）に対して第１ドアハンドル（２）と一体的に回転可能に構成された概略Ｌ字状の第２ドアハンドル（２’）をドア本体（１）の他方の表面（１ｂ）の側に配置し、
第１ドアハンドル（２）の軸部（２ａ）に概略平行な軸部平行部分（４ａ１）と、第１ドアハンドル（２）の取っ手部（２ｂ）に概略平行な取っ手部平行部分（４ａ２）と、軸部平行部分（４ａ１）と取っ手部平行部分（４ａ２）とを橋絡する湾曲部分（４ａ３）とを有する概略Ｌ字状の導光部材（４ａ）を第１ドアハンドル（２）内に配置し、
第２ドアハンドル（２’）の取っ手部（２ｂ’）に概略平行な取っ手部平行部分（４ｂ１）と、概略Ｌ字状の第２ドアハンドル（２’）のコーナー部に対応する湾曲部分（４ｂ２）とを有する導光部材（４ｂ）を第２ドアハンドル（２’）内に配置し、
発光素子光源（３）からの光が入射する入射面（４ａ１ａ）と、ドア本体（１）に対する第１ドアハンドル（２）および第２ドアハンドル（２’）の回転量が第１角度の時に入射面（４ａ１ａ）からの光を反射して湾曲部分（４ａ３）に導光する第１反射面（４ａ１ｂ）と、ドア本体（１）に対する第１ドアハンドル（２）および第２ドアハンドル（２’）の回転量が第１角度とは異なる第２角度の時に入射面（４ａ１ａ）からの光を反射して湾曲部分（４ａ３）に導光する第２反射面（４ａ１ｃ）と、ドア本体（１）に対する第１ドアハンドル（２）および第２ドアハンドル（２’）の回転量が第１角度の時に入射面（４ａ１ａ）からの光を反射して導光部材（４ｂ）の湾曲部分（４ｂ２）に導光する第３反射面（４ａ１ｄ）と、ドア本体（１）に対する第１ドアハンドル（２）および第２ドアハンドル（２’）の回転量が第２角度の時に入射面（４ａ１ａ）からの光を反射して導光部材（４ｂ）の湾曲部分（４ｂ２）に導光する第４反射面（４ａ１ｅ）とを導光部材（４ａ）の軸部平行部分（４ａ１）に設け、
導光部材（４ａ）の湾曲部分（４ａ３）から取っ手部平行部分（４ａ２）に導光された光を出射する出射面（４ａ２ａ）を、導光部材（４ａ）の取っ手部平行部分（４ａ２）のうち、ドア本体（１）の反対側の部分に設け、
導光部材（４ａ）の取っ手部平行部分（４ａ２）の出射面（４ａ２ａ）からの光を透過させる開口（２ｂ１）を第１ドアハンドル（２）の取っ手部（２ｂ）に設け、
導光部材（４ｂ）の湾曲部分（４ｂ２）から取っ手部平行部分（４ｂ１）に導光された光を出射する出射面（４ｂ１ａ）を、導光部材（４ｂ）の取っ手部平行部分（４ｂ１）のうち、ドア本体（１）の反対側の部分に設け、
導光部材（４ｂ）の取っ手部平行部分（４ｂ１）の出射面（４ｂ１ａ）からの光を透過させる開口（２ｂ１’）を第２ドアハンドル（２’）の取っ手部（２ｂ’）に設けたことを特徴とする請求項１〜３のいずれか一項に記載のドアハンドル装置（１０）が提供される。
【００１４】
請求項５に記載の発明によれば、導光部材（４ａ）および導光部材（４ｂ）を相対的に位置決めする位置決め部材（５ａ，５ｂ）を導光部材（４ａ）と導光部材（４ｂ）とに跨るように導光部材（４ａ）および導光部材（４ｂ）の周囲に配置したことを特徴とする請求項４に記載のドアハンドル装置（１０）が提供される。
【００１５】
請求項６に記載の発明によれば、ドア本体（１）の一方の表面（１ａ）または他方の表面（１ｂ）に対して概略垂直に延びている軸部（２ａ）と、ドア本体（１）の一方の表面（１ａ）または他方の表面（１ｂ）に対して概略平行に延びている取っ手部（２ｂ）とを有し、ドア本体（１）に対して回転可能に構成された概略Ｌ字状のドアハンドル（２）を具備するドアハンドル装置（１０）において、
ドア本体（１）によって、または、ドア本体（１）に固定されたドア本体（１）とは別個の部材によって、発光素子光源（３）を支持し、
ドアハンドル（２）の取っ手部（２ｂ）に概略平行な取っ手部平行部分（４ｃ１）と、概略Ｌ字状のドアハンドル（２）のコーナー部に対応する湾曲部分（４ｃ２）とを有する導光部材（４ｃ）をドアハンドル（２）内に配置し、
発光素子光源（３）からの光が入射する入射面（４ｄ１）と、ドア本体（１）に対するドアハンドル（２）の回転量が第１角度の時に入射面（４ｄ１）からの光を反射して導光部材（４ｃ）の湾曲部分（４ｃ２）に導光する第１反射面（４ｄ２）と、ドア本体（１）に対するドアハンドル（２）の回転量が第１角度とは異なる第２角度の時に入射面（４ｄ１）からの光を反射して導光部材（４ｃ）の湾曲部分（４ｃ２）に導光する第２反射面（４ｄ３）とをドアハンドル（２）の軸部（２ａ）に概略平行な導光部材（４ｄ）に設け、
導光部材（４ｃ）の湾曲部分（４ｃ２）から取っ手部平行部分（４ｃ１）に導光された光を出射する出射面（４ｃ１ａ）を、導光部材（４ｃ）の取っ手部平行部分（４ｃ１）のうち、ドア本体（１）の反対側の部分に設け、
導光部材（４ｃ）の取っ手部平行部分（４ｃ１）の出射面（４ｃ１ａ）からの光を透過させる開口（２ｂ１）をドアハンドル（２）の取っ手部（２ｂ）に設けたことを特徴とするドアハンドル装置（１０）が提供される。
【発明の効果】
【００１６】
請求項１に記載のドアハンドル装置（１０）では、ドア本体（１）の一方の表面（１ａ）または他方の表面（１ｂ）に対して概略垂直に延びている軸部（２ａ）と、ドア本体（１）の一方の表面（１ａ）または他方の表面（１ｂ）に対して概略平行に延びている取っ手部（２ｂ）とを有し、ドア本体（１）に対して回転可能に構成された概略Ｌ字状のドアハンドル（２）が設けられている。
【００１７】
更に、請求項１に記載のドアハンドル装置（１０）では、ドア本体（１）によって、または、ドア本体（１）に固定されたドア本体（１）とは別個の部材によって、発光素子光源（３）が支持されている。つまり、請求項１に記載のドアハンドル装置（１０）では、発光素子光源（３）が、ドア本体（１）に対して回転可能に構成されたドアハンドル（２）によって支持されるのではなく、ドア本体（１）またはドア本体（１）に固定されたドア本体（１）とは別個の部材によって支持されている。
【００１８】
そのため、請求項１に記載のドアハンドル装置（１０）によれば、ドア本体（１）に対して回転可能に構成されたドアハンドル（２）によって発光素子光源（３）が支持される場合よりも、発光素子光源（１）に電力を供給する電気配線の信頼性を向上させることができ、ドアハンドル（２）を小型化することができる。
【００１９】
また、請求項１に記載のドアハンドル装置（１０）では、ドアハンドル（２）の軸部（２ａ）に概略平行な軸部平行部分（４ａ１）と、ドアハンドル（２）の取っ手部（２ｂ）に概略平行な取っ手部平行部分（４ａ２）と、軸部平行部分（４ａ１）と取っ手部平行部分（４ａ２）とを橋絡する湾曲部分（４ａ３）とを有する概略Ｌ字状の導光部材（４ａ）の一部が、ドアハンドル（２）内に配置されている。
【００２０】
更に、請求項１に記載のドアハンドル装置（１０）では、発光素子光源（３）からの光が入射する入射面（４ａ１ａ）と、ドア本体（１）に対するドアハンドル（２）の回転量が第１角度の時に入射面（４ａ１ａ）からの光を反射して湾曲部分（４ａ３）に導光する第１反射面（４ａ１ｂ）と、ドア本体（１）に対するドアハンドル（２）の回転量が第１角度とは異なる第２角度の時に入射面（４ａ１ａ）からの光を反射して湾曲部分（４ａ３）に導光する第２反射面（４ａ１ｃ）とが、導光部材（４ａ）の軸部平行部分（４ａ１）に設けられている。
【００２１】
また、請求項１に記載のドアハンドル装置（１０）では、導光部材（４ａ）の湾曲部分（４ａ３）から取っ手部平行部分（４ａ２）に導光された光を出射する出射面（４ａ２ａ）が、導光部材（４ａ）の取っ手部平行部分（４ａ２）のうち、ドア本体（１）の反対側の部分に設けられている。更に、導光部材（４ａ）の取っ手部平行部分（４ａ２）の出射面（４ａ２ａ）からの光を透過させる開口（２ｂ１）が、ドアハンドル（２）の取っ手部（２ｂ）に設けられている。
【００２２】
つまり、請求項１に記載のドアハンドル装置（１０）では、ドア本体（１）に対するドアハンドル（２）の回転量が第１角度の時に、発光素子光源（３）からの光が、導光部材（４ａ）の軸部平行部分（４ａ１）の入射面（４ａ１ａ）に入射し、次いで、軸部平行部分（４ａ１）の入射面（４ａ１ａ）からの光が、軸部平行部分（４ａ１）の第１反射面（４ａ１ｂ）によって反射されて湾曲部分（４ａ３）に導光され、次いで、湾曲部分（４ａ３）から取っ手部平行部分（４ａ２）に導光された光が、取っ手部平行部分（４ａ２）の出射面（４ａ２ａ）から出射し、次いで、取っ手部平行部分（４ａ２）の出射面（４ａ２ａ）からの光が、ドアハンドル（２）の取っ手部（２ｂ）の開口（２ｂ１）を透過せしめられる。
【００２３】
また、請求項１に記載のドアハンドル装置（１０）では、ドア本体（１）に対するドアハンドル（２）の回転量が第１角度とは異なる第２角度の時に、発光素子光源（３）からの光が、導光部材（４ａ）の軸部平行部分（４ａ１）の入射面（４ａ１ａ）に入射し、次いで、軸部平行部分（４ａ１）の入射面（４ａ１ａ）からの光が、軸部平行部分（４ａ１）の第２反射面（４ａ１ｃ）によって反射されて湾曲部分（４ａ３）に導光され、次いで、湾曲部分（４ａ３）から取っ手部平行部分（４ａ２）に導光された光が、取っ手部平行部分（４ａ２）の出射面（４ａ２ａ）から出射し、次いで、取っ手部平行部分（４ａ２）の出射面（４ａ２ａ）からの光が、ドアハンドル（２）の取っ手部（２ｂ）の開口（２ｂ１）を透過せしめられる。
【００２４】
そのため、請求項１に記載のドアハンドル装置（１０）によれば、ドア本体（１）に対するドアハンドル（２）の回転量が第１角度の時のみならず、ドア本体（１）に対するドアハンドル（２）の回転量が第１角度とは異なる第２角度の時にも、ドアハンドル（２）の取っ手部（２ｂ）が光って見えるようにすることができる。
【００２５】
換言すれば、請求項１に記載のドアハンドル装置（１０）によれば、ドア本体（１）に対するドアハンドル（２）の回転量が第１角度の時のみならず、ドア本体（１）に対するドアハンドル（２）の回転量が第１角度とは異なる第２角度の時にも、ドアハンドル（２）の取っ手部（２ｂ）が光って見えるようにしつつ、発光素子光源（３）に電力を供給する電気配線の信頼性を向上させることができると共に、ドアハンドル（２）の大型化を回避することができる。
【００２６】
請求項２に記載のドアハンドル装置（１０）では、ドア本体（１）に対するドアハンドル（２）の回転量が第１角度の時に入射面（４ａ１ａ）からの光を反射する第１反射面（４ａ１ｂ）と、ドア本体（１）に対するドアハンドル（２）の回転量が第１角度とは異なる第２角度の時に入射面（４ａ１ａ）からの光を反射する第２反射面（４ａ１ｃ）とが異なる平面または放物面によって構成されている。
【００２７】
そのため、請求項２に記載のドアハンドル装置（１０）によれば、ドア本体（１）に対するドアハンドル（２）の回転量が第１角度の時にドアハンドル（２）の取っ手部（２ｂ）が明るく光って見えるようにすると共に、ドア本体（１）に対するドアハンドル（２）の回転量が第２角度の時に、ドア本体（１）に対するドアハンドル（２）の回転量が第１角度の時と同様に、ドアハンドル（２）の取っ手部（２ｂ）が明るく光って見えるようにすることができる。
【００２８】
請求項３に記載のドアハンドル装置（１０）では、ドアハンドル（２）の軸部（２ａ）に対して概略平行に延びている長軸と、ドアハンドル（２）の取っ手部（２ｂ）に対して概略平行に延びている短軸とを有する楕円弧によって、導光部材（４ａ）の湾曲部分（４ａ３）の中心軸線（４ａ３ＣＬ）が構成されている。
【００２９】
そのため、請求項３に記載のドアハンドル装置（１０）によれば、円弧によって導光部材（４ａ）の湾曲部分（４ａ３）の中心軸線（４ａ３ＣＬ）が構成されている場合よりも、導光部材（４ａ）の湾曲部分（４ａ３）における内面反射効率を向上させることができ、ドアハンドル（２）の取っ手部（２ｂ）が明るく光って見えるようにすることができる。
【００３０】
更に、請求項３に記載のドアハンドル装置（１０）によれば、ドアハンドル（２）の軸部（２ａ）に対して概略平行に延びている短軸とドアハンドル（２）の取っ手部（２ｂ）に対して概略平行に延びている長軸とを有する楕円弧によって導光部材（４ａ）の湾曲部分（４ａ３）の中心軸線（４ａ３ＣＬ）が構成されている場合よりも、導光部材（４ａ）の湾曲部分（４ａ３）における内面反射効率を向上させることができ、ドアハンドル（２）の取っ手部（２ｂ）が明るく光って見えるようにすることができる。
【００３１】
請求項４に記載のドアハンドル装置（１０）では、ドア本体（１）の一方の表面（１ａ）に対して概略垂直に延びている軸部（２ａ）と、ドア本体（１）の一方の表面（１ａ）に対して概略平行に延びている取っ手部（２ｂ）とを有し、ドア本体（１）に対して回転可能に構成された概略Ｌ字状の第１ドアハンドル（２）が、ドア本体（１）の一方の表面（１ａ）の側に配置されている。更に、ドア本体（１）の他方の表面（１ｂ）に対して概略垂直に延びている軸部（２ａ’）と、ドア本体（１）の他方の表面（１ｂ）に対して概略平行に延びている取っ手部（２ｂ’）とを有し、ドア本体（１）に対して第１ドアハンドル（２）と一体的に回転可能に構成された概略Ｌ字状の第２ドアハンドル（２’）が、ドア本体（１）の他方の表面（１ｂ）の側に配置されている。
【００３２】
また、請求項４に記載のドアハンドル装置（１０）では、第１ドアハンドル（２）の軸部（２ａ）に概略平行な軸部平行部分（４ａ１）と、第１ドアハンドル（２）の取っ手部（２ｂ）に概略平行な取っ手部平行部分（４ａ２）と、軸部平行部分（４ａ１）と取っ手部平行部分（４ａ２）とを橋絡する湾曲部分（４ａ３）とを有する概略Ｌ字状の導光部材（４ａ）が、第１ドアハンドル（２）内に配置されている。更に、第２ドアハンドル（２’）の取っ手部（２ｂ’）に概略平行な取っ手部平行部分（４ｂ１）と、概略Ｌ字状の第２ドアハンドル（２’）のコーナー部に対応する湾曲部分（４ｂ２）とを有する導光部材（４ｂ）が、第２ドアハンドル（２’）内に配置されている。
【００３３】
更に、請求項４に記載のドアハンドル装置（１０）では、発光素子光源（３）からの光が入射する入射面（４ａ１ａ）と、ドア本体（１）に対する第１ドアハンドル（２）および第２ドアハンドル（２’）の回転量が第１角度の時に入射面（４ａ１ａ）からの光を反射して湾曲部分（４ａ３）に導光する第１反射面（４ａ１ｂ）と、ドア本体（１）に対する第１ドアハンドル（２）および第２ドアハンドル（２’）の回転量が第１角度とは異なる第２角度の時に入射面（４ａ１ａ）からの光を反射して湾曲部分（４ａ３）に導光する第２反射面（４ａ１ｃ）と、ドア本体（１）に対する第１ドアハンドル（２）および第２ドアハンドル（２’）の回転量が第１角度の時に入射面（４ａ１ａ）からの光を反射して導光部材（４ｂ）の湾曲部分（４ｂ２）に導光する第３反射面（４ａ１ｄ）と、ドア本体（１）に対する第１ドアハンドル（２）および第２ドアハンドル（２’）の回転量が第２角度の時に入射面（４ａ１ａ）からの光を反射して導光部材（４ｂ）の湾曲部分（４ｂ２）に導光する第４反射面（４ａ１ｅ）とが、導光部材（４ａ）の軸部平行部分（４ａ１）に設けられている。
【００３４】
また、請求項４に記載のドアハンドル装置（１０）では、導光部材（４ａ）の湾曲部分（４ａ３）から取っ手部平行部分（４ａ２）に導光された光を出射する出射面（４ａ２ａ）が、導光部材（４ａ）の取っ手部平行部分（４ａ２）のうち、ドア本体（１）の反対側の部分に設けられている。更に、導光部材（４ａ）の取っ手部平行部分（４ａ２）の出射面（４ａ２ａ）からの光を透過させる開口（２ｂ１）が、第１ドアハンドル（２）の取っ手部（２ｂ）に設けられている。
【００３５】
更に、請求項４に記載のドアハンドル装置（１０）では、導光部材（４ｂ）の湾曲部分（４ｂ２）から取っ手部平行部分（４ｂ１）に導光された光を出射する出射面（４ｂ１ａ）が、導光部材（４ｂ）の取っ手部平行部分（４ｂ１）のうち、ドア本体（１）の反対側の部分に設けられている。また、導光部材（４ｂ）の取っ手部平行部分（４ｂ１）の出射面（４ｂ１ａ）からの光を透過させる開口（２ｂ１’）が、第２ドアハンドル（２’）の取っ手部（２ｂ’）に設けられている。
【００３６】
つまり、請求項４に記載のドアハンドル装置（１０）では、ドア本体（１）に対する第１ドアハンドル（２）および第２ドアハンドル（２’）の回転量が第１角度の時に、発光素子光源（３）からの光が、導光部材（４ａ）の軸部平行部分（４ａ１）の入射面（４ａ１ａ）に入射し、次いで、軸部平行部分（４ａ１）の入射面（４ａ１ａ）からの光が、軸部平行部分（４ａ１）の第１反射面（４ａ１ｂ）によって反射されて湾曲部分（４ａ３）に導光され、次いで、湾曲部分（４ａ３）から取っ手部平行部分（４ａ２）に導光された光が、取っ手部平行部分（４ａ２）の出射面（４ａ２ａ）から出射し、次いで、取っ手部平行部分（４ａ２）の出射面（４ａ２ａ）からの光が、第１ドアハンドル（２）の取っ手部（２ｂ）の開口（２ｂ１）を透過せしめられる。
【００３７】
また、請求項４に記載のドアハンドル装置（１０）では、ドア本体（１）に対する第１ドアハンドル（２）および第２ドアハンドル（２’）の回転量が第２角度の時に、発光素子光源（３）からの光が、導光部材（４ａ）の軸部平行部分（４ａ１）の入射面（４ａ１ａ）に入射し、次いで、軸部平行部分（４ａ１）の入射面（４ａ１ａ）からの光が、軸部平行部分（４ａ１）の第２反射面（４ａ１ｃ）によって反射されて湾曲部分（４ａ３）に導光され、次いで、湾曲部分（４ａ３）から取っ手部平行部分（４ａ２）に導光された光が、取っ手部平行部分（４ａ２）の出射面（４ａ２ａ）から出射し、次いで、取っ手部平行部分（４ａ２）の出射面（４ａ２ａ）からの光が、第１ドアハンドル（２）の取っ手部（２ｂ）の開口（２ｂ１）を透過せしめられる。
【００３８】
更に、請求項４に記載のドアハンドル装置（１０）では、ドア本体（１）に対する第１ドアハンドル（２）および第２ドアハンドル（２’）の回転量が第１角度の時に、発光素子光源（３）からの光が、導光部材（４ａ）の軸部平行部分（４ａ１）の入射面（４ａ１ａ）に入射し、次いで、軸部平行部分（４ａ１）の入射面（４ａ１ａ）からの光が、軸部平行部分（４ａ１）の第３反射面（４ａ１ｄ）によって反射されて導光部材（４ｂ）の湾曲部分（４ｂ２）に導光され、次いで、導光部材（４ｂ）の湾曲部分（４ｂ２）から取っ手部平行部分（４ｂ１）に導光された光が、取っ手部平行部分（４ｂ１）の出射面（４ｂ１ａ）から出射し、次いで、取っ手部平行部分（４ｂ１）の出射面（４ｂ１ａ）からの光が、第２ドアハンドル（２’）の取っ手部（２ｂ’）の開口（２ｂ１’）を透過せしめられる。
【００３９】
また、請求項４に記載のドアハンドル装置（１０）では、ドア本体（１）に対する第１ドアハンドル（２）および第１ドアハンドル（２’）の回転量が第２角度の時に、発光素子光源（３）からの光が、導光部材（４ａ）の軸部平行部分（４ａ１）の入射面（４ａ１ａ）に入射し、次いで、軸部平行部分（４ａ１）の入射面（４ａ１ａ）からの光が、軸部平行部分（４ａ１）の第４反射面（４ａ１ｅ）によって反射されて導光部材（４ｂ）の湾曲部分（４ｂ２）に導光され、次いで、導光部材（４ｂ）の湾曲部分（４ｂ２）から取っ手部平行部分（４ｂ１）に導光された光が、取っ手部平行部分（４ｂ１）の出射面（４ｂ１ａ）から出射し、次いで、取っ手部平行部分（４ｂ１）の出射面（４ｂ１ａ）からの光が、第２ドアハンドル（２’）の取っ手部（２ｂ’）の開口（２ｂ１’）を透過せしめられる。
【００４０】
そのため、請求項４に記載のドアハンドル装置（１０）によれば、発光素子光源（３）からの光によって第１ドアハンドル（２）の取っ手部（２ｂ）が光って見えるようにすると共に、第２ドアハンドル（２’）の取っ手部（２ｂ’）が光って見えるようにすることができる。
【００４１】
つまり、請求項４に記載のドアハンドル装置（１０）によれば、第１ドアハンドル（２）の取っ手部（２ｂ）が光って見えるようにするための発光素子光源と第２ドアハンドル（２’）の取っ手部（２ｂ’）が光って見えるようにするための発光素子光源とが別個に設けられている場合よりも、発光素子光源（３）の数を削減することができる。
【００４２】
請求項５に記載のドアハンドル装置（１０）では、導光部材（４ａ）および導光部材（４ｂ）を相対的に位置決めする位置決め部材（５ａ，５ｂ）が、導光部材（４ａ）と導光部材（４ｂ）とに跨るように導光部材（４ａ）および導光部材（４ｂ）の周囲に配置されている。そのため、請求項５に記載のドアハンドル装置（１０）によれば、位置決め部材（５ａ，５ｂ）が設けられない場合よりも、導光部材（４ａ）と導光部材（４ｂ）とが別個の部材として構成されるのに伴って、導光部材（４ａ）から導光部材（４ｂ）への光の伝達効率が低下してしまうのを抑制することができる。
【００４３】
請求項６に記載のドアハンドル装置（１０）では、ドア本体（１）の一方の表面（１ａ）または他方の表面（１ｂ）に対して概略垂直に延びている軸部（２ａ）と、ドア本体（１）の一方の表面（１ａ）または他方の表面（１ｂ）に対して概略平行に延びている取っ手部（２ｂ）とを有し、ドア本体（１）に対して回転可能に構成された概略Ｌ字状のドアハンドル（２）が設けられている。
【００４４】
更に、請求項６に記載のドアハンドル装置（１０）では、ドア本体（１）によって、または、ドア本体（１）に固定されたドア本体（１）とは別個の部材によって、発光素子光源（３）が支持されている。つまり、請求項６に記載のドアハンドル装置（１０）では、発光素子光源（３）が、ドア本体（１）に対して回転可能に構成されたドアハンドル（２）によって支持されるのではなく、ドア本体（１）またはドア本体（１）に固定されたドア本体（１）とは別個の部材によって支持されている。
【００４５】
そのため、請求項６に記載のドアハンドル装置（１０）によれば、ドア本体（１）に対して回転可能に構成されたドアハンドル（２）によって発光素子光源（３）が支持される場合よりも、発光素子光源（１）に電力を供給する電気配線の信頼性を向上させることができ、ドアハンドル（２）を小型化することができる。
【００４６】
また、請求項６に記載のドアハンドル装置（１０）では、ドアハンドル（２）の取っ手部（２ｂ）に概略平行な取っ手部平行部分（４ｃ１）と、概略Ｌ字状のドアハンドル（２）のコーナー部に対応する湾曲部分（４ｃ２）とを有する導光部材（４ｃ）がドアハンドル（２）内に配置されている。
【００４７】
更に、請求項６に記載のドアハンドル装置（１０）では、発光素子光源（３）からの光が入射する入射面（４ｄ１）と、ドア本体（１）に対するドアハンドル（２）の回転量が第１角度の時に入射面（４ｄ１）からの光を反射して導光部材（４ｃ）の湾曲部分（４ｃ２）に導光する第１反射面（４ｄ２）と、ドア本体（１）に対するドアハンドル（２）の回転量が第１角度とは異なる第２角度の時に入射面（４ｄ１）からの光を反射して導光部材（４ｃ）の湾曲部分（４ｃ２）に導光する第２反射面（４ｄ３）とが、ドアハンドル（２）の軸部（２ａ）に概略平行な導光部材（４ｄ）に設けられている。
【００４８】
また、請求項６に記載のドアハンドル装置（１０）では、導光部材（４ｃ）の湾曲部分（４ｃ２）から取っ手部平行部分（４ｃ１）に導光された光を出射する出射面（４ｃ１ａ）が、導光部材（４ｃ）の取っ手部平行部分（４ｃ１）のうち、ドア本体（１）の反対側の部分に設けられている。更に、導光部材（４ｃ）の取っ手部平行部分（４ｃ１）の出射面（４ｃ１ａ）からの光を透過させる開口（２ｂ１）が、ドアハンドル（２）の取っ手部（２ｂ）に設けられている。
【００４９】
つまり、請求項６に記載のドアハンドル装置（１０）では、ドア本体（１）に対するドアハンドル（２）の回転量が第１角度の時に、発光素子光源（３）からの光が、導光部材（４ｄ）の入射面（４ｄ１）に入射し、次いで、入射面（４ｄ１）からの光が、第１反射面（４ｄ２）によって反射されて導光部材（４ｃ）の湾曲部分（４ｃ２）に導光され、次いで、湾曲部分（４ｃ２）から取っ手部平行部分（４ｃ１）に導光された光が、取っ手部平行部分（４ｃ１）の出射面（４ｃ１ａ）から出射し、次いで、取っ手部平行部分（４ｃ１）の出射面（４ｃ１ａ）からの光が、ドアハンドル（２）の取っ手部（２ｂ）の開口（２ｂ１）を透過せしめられる。
【００５０】
また、請求項６に記載のドアハンドル装置（１０）では、ドア本体（１）に対するドアハンドル（２）の回転量が第１角度とは異なる第２角度の時に、発光素子光源（３）からの光が、導光部材（４ｄ）の入射面（４ｄ１）に入射し、次いで、入射面（４ｄ１）からの光が、第２反射面（４ｄ３）によって反射されて導光部材（４ｃ）の湾曲部分（４ｃ２）に導光され、次いで、湾曲部分（４ｃ２）から取っ手部平行部分（４ｃ１）に導光された光が、取っ手部平行部分（４ｃ１）の出射面（４ｃ１ａ）から出射し、次いで、取っ手部平行部分（４ｃ１）の出射面（４ｃ１ａ）からの光が、ドアハンドル（２）の取っ手部（２ｂ）の開口（２ｂ１）を透過せしめられる。
【００５１】
そのため、請求項６に記載のドアハンドル装置（１０）によれば、ドア本体（１）に対するドアハンドル（２）の回転量が第１角度の時のみならず、ドア本体（１）に対するドアハンドル（２）の回転量が第１角度とは異なる第２角度の時にも、ドアハンドル（２）の取っ手部（２ｂ）が光って見えるようにすることができる。
【００５２】
換言すれば、請求項６に記載のドアハンドル装置（１０）によれば、ドア本体（１）に対するドアハンドル（２）の回転量が第１角度の時のみならず、ドア本体（１）に対するドアハンドル（２）の回転量が第１角度とは異なる第２角度の時にも、ドアハンドル（２）の取っ手部（２ｂ）が光って見えるようにしつつ、発光素子光源（３）に電力を供給する電気配線の信頼性を向上させることができると共に、ドアハンドル（２）の大型化を回避することができる。
【００５３】
好ましくは、ドア本体（１）に対するドアハンドル（２）の回転量が第１角度の時に入射面（４ｄ１）からの光を反射する第１反射面（４ｄ２）と、ドア本体（１）に対するドアハンドル（２）の回転量が第１角度とは異なる第２角度の時に入射面（４ｄ１）からの光を反射する第２反射面（４ｄ３）とが異なる平面または放物面によって構成されている。そのように構成することにより、、ドア本体（１）に対するドアハンドル（２）の回転量が第１角度の時にドアハンドル（２）の取っ手部（２ｂ）が明るく光って見えるようにすると共に、ドア本体（１）に対するドアハンドル（２）の回転量が第２角度の時に、ドア本体（１）に対するドアハンドル（２）の回転量が第１角度の時と同様に、ドアハンドル（２）の取っ手部（２ｂ）が明るく光って見えるようにすることができる。
【００５４】
また、好ましくは、ドアハンドル（２）の軸部（２ａ）に対して概略平行に延びている長軸と、ドアハンドル（２）の取っ手部（２ｂ）に対して概略平行に延びている短軸とを有する楕円弧によって、導光部材（４ｃ）の湾曲部分（４ｃ２）の中心軸線（４ｃ２ＣＬ）が構成されている。そのように構成することにより、円弧によって導光部材（４ｃ）の湾曲部分（４ｃ２）の中心軸線（４ｃ２ＣＬ）が構成されている場合よりも、導光部材（４ｃ）の湾曲部分（４ｃ２）における内面反射効率を向上させることができ、ドアハンドル（２）の取っ手部（２ｂ）が明るく光って見えるようにすることができる。更に、ドアハンドル（２）の軸部（２ａ）に対して概略平行に延びている短軸とドアハンドル（２）の取っ手部（２ｂ）に対して概略平行に延びている長軸とを有する楕円弧によって導光部材（４ｃ）の湾曲部分（４ｃ２）の中心軸線（４ｃ２ＣＬ）が構成されている場合よりも、導光部材（４ｃ）の湾曲部分（４ｃ２）における内面反射効率を向上させることができ、ドアハンドル（２）の取っ手部（２ｂ）が明るく光って見えるようにすることができる。
【００５５】
更に、好ましくは、ドア本体（１）の一方の表面（１ａ）に対して概略垂直に延びている軸部（２ａ）と、ドア本体（１）の一方の表面（１ａ）に対して概略平行に延びている取っ手部（２ｂ）とを有し、ドア本体（１）に対して回転可能に構成された概略Ｌ字状の第１ドアハンドル（２）が、ドア本体（１）の一方の表面（１ａ）の側に配置されている。更に、ドア本体（１）の他方の表面（１ｂ）に対して概略垂直に延びている軸部（２ａ’）と、ドア本体（１）の他方の表面（１ｂ）に対して概略平行に延びている取っ手部（２ｂ’）とを有し、ドア本体（１）に対して第１ドアハンドル（２）と一体的に回転可能に構成された概略Ｌ字状の第２ドアハンドル（２’）が、ドア本体（１）の他方の表面（１ｂ）の側に配置されている。また、第１ドアハンドル（２）の取っ手部（２ｂ）に概略平行な取っ手部平行部分（４ｃ１）と、概略Ｌ字状の第１ドアハンドル（２）のコーナー部に対応する湾曲部分（４ｃ２）とを有する導光部材（４ｃ）が第１ドアハンドル（２）内に配置されている。更に、第２ドアハンドル（２’）の取っ手部（２ｂ’）に概略平行な取っ手部平行部分（４ｂ１）と、概略Ｌ字状の第２ドアハンドル（２’）のコーナー部に対応する湾曲部分（４ｂ２）とを有する導光部材（４ｂ）が、第２ドアハンドル（２’）内に配置されている。また、発光素子光源（３）からの光が入射する入射面（４ｄ１）と、ドア本体（１）に対する第１ドアハンドル（２）および第２ドアハンドル（２’）の回転量が第１角度の時に入射面（４ｄ１）からの光を反射して導光部材（４ｃ）の湾曲部分（４ｃ２）に導光する第１反射面（４ｄ２）と、ドア本体（１）に対する第１ドアハンドル（２）および第２ドアハンドル（２’）の回転量が第１角度とは異なる第２角度の時に入射面（４ｄ２）からの光を反射して導光部材（４ｃ）の湾曲部分（４ｃ２）に導光する第２反射面（４ｄ３）と、ドア本体（１）に対する第１ドアハンドル（２）および第２ドアハンドル（２’）の回転量が第１角度の時に入射面（４ｄ１）からの光を反射して導光部材（４ｂ）の湾曲部分（４ｂ２）に導光する第３反射面（４ｄ４）と、ドア本体（１）に対する第１ドアハンドル（２）および第２ドアハンドル（２’）の回転量が第２角度の時に入射面（４ｄ１）からの光を反射して導光部材（４ｂ）の湾曲部分（４ｂ２）に導光する第４反射面（４ｄ５）とが、導光部材（４ｄ）に設けられている。また、導光部材（４ｃ）の湾曲部分（４ｃ２）から取っ手部平行部分（４ｃ１）に導光された光を出射する出射面（４ｃ１ａ）が、導光部材（４ｃ）の取っ手部平行部分（４ｃ１）のうち、ドア本体（１）の反対側の部分に設けられている。更に、導光部材（４ｃ）の取っ手部平行部分（４ｃ１）の出射面（４ｃ１ａ）からの光を透過させる開口（２ｂ１）が、第１ドアハンドル（２）の取っ手部（２ｂ）に設けられている。また、導光部材（４ｂ）の湾曲部分（４ｂ２）から取っ手部平行部分（４ｂ１）に導光された光を出射する出射面（４ｂ１ａ）が、導光部材（４ｂ）の取っ手部平行部分（４ｂ１）のうち、ドア本体（１）の反対側の部分に設けられている。更に、導光部材（４ｂ）の取っ手部平行部分（４ｂ１）の出射面（４ｂ１ａ）からの光を透過させる開口（２ｂ１’）が、第２ドアハンドル（２’）の取っ手部（２ｂ’）に設けられている。
【００５６】
つまり、ドア本体（１）に対する第１ドアハンドル（２）および第２ドアハンドル（２’）の回転量が第１角度の時に、発光素子光源（３）からの光が、導光部材（４ｄ）の入射面（４ｄ１）に入射し、次いで、入射面（４ｄ１）からの光が、導光部材（４ｄ）の第１反射面（４ｄ２）によって反射されて導光部材（４ｃ）の湾曲部分（４ｃ２）に導光され、次いで、導光部材（４ｃ）の湾曲部分（４ｃ２）から取っ手部平行部分（４ｃ１）に導光された光が、取っ手部平行部分（４ｃ１）の出射面（４ｃ１ａ）から出射し、次いで、取っ手部平行部分（４ｃ１）の出射面（４ｃ１ａ）からの光が、第１ドアハンドル（２）の取っ手部（２ｂ）の開口（２ｂ１）を透過せしめられる。また、ドア本体（１）に対する第１ドアハンドル（２）および第１ドアハンドル（２’）の回転量が第２角度の時に、発光素子光源（３）からの光が、導光部材（４ｄ）の入射面（４ｄ１）に入射し、次いで、入射面（４ｄ１）からの光が、導光部材（４ｄ）の第２反射面（４ｄ３）によって反射されて導光部材（４ｃ）の湾曲部分（４ｃ２）に導光され、次いで、導光部材（４ｃ）の湾曲部分（４ｃ２）から取っ手部平行部分（４ｃ１）に導光された光が、取っ手部平行部分（４ｃ１）の出射面（４ｃ１ａ）から出射し、次いで、取っ手部平行部分（４ｃ１）の出射面（４ｃ１ａ）からの光が、第１ドアハンドル（２）の取っ手部（２ｂ）の開口（２ｂ１）を透過せしめられる。
【００５７】
更に、ドア本体（１）に対する第１ドアハンドル（２）および第２ドアハンドル（２’）の回転量が第１角度の時に、発光素子光源（３）からの光が、導光部材（４ｄ）の入射面（４ｄ１）に入射し、次いで、入射面（４ｄ１）からの光が、導光部材（４ｄ）の第３反射面（４ｄ４）によって反射されて導光部材（４ｂ）の湾曲部分（４ｂ２）に導光され、次いで、導光部材（４ｂ）の湾曲部分（４ｂ２）から取っ手部平行部分（４ｂ１）に導光された光が、取っ手部平行部分（４ｂ１）の出射面（４ｂ１ａ）から出射し、次いで、取っ手部平行部分（４ｂ１）の出射面（４ｂ１ａ）からの光が、第２ドアハンドル（２’）の取っ手部（２ｂ’）の開口（２ｂ１’）を透過せしめられる。また、ドア本体（１）に対する第１ドアハンドル（２）および第１ドアハンドル（２’）の回転量が第２角度の時に、発光素子光源（３）からの光が、導光部材（４ｄ）の入射面（４ｄ１）に入射し、次いで、入射面（４ｄ１）からの光が、導光部材（４ｄ）の第４反射面（４ｄ５）によって反射されて導光部材（４ｂ）の湾曲部分（４ｂ２）に導光され、次いで、導光部材（４ｂ）の湾曲部分（４ｂ２）から取っ手部平行部分（４ｂ１）に導光された光が、取っ手部平行部分（４ｂ１）の出射面（４ｂ１ａ）から出射し、次いで、取っ手部平行部分（４ｂ１）の出射面（４ｂ１ａ）からの光が、第２ドアハンドル（２’）の取っ手部（２ｂ’）の開口（２ｂ１’）を透過せしめられる。
【００５８】
そのように構成することにより、発光素子光源（３）からの光によって第１ドアハンドル（２）の取っ手部（２ｂ）が光って見えるようにすると共に、第２ドアハンドル（２’）の取っ手部（２ｂ’）が光って見えるようにすることができる。つまり、第１ドアハンドル（２）の取っ手部（２ｂ）が光って見えるようにするための発光素子光源と第２ドアハンドル（２’）の取っ手部（２ｂ’）が光って見えるようにするための発光素子光源とが別個に設けられている場合よりも、発光素子光源（３）の数を削減することができる。
【００５９】
また、好ましくは、導光部材（４ｃ）と導光部材（４ｄ）と導光部材（４ｂ）とを相対的に位置決めする位置決め部材（５ａ，５ｂ）が、導光部材（４ｃ）と導光部材（４ｄ）と導光部材（４ｂ）とに跨るように導光部材（４ｃ）、導光部材（４ｄ）および導光部材（４ｂ）の周囲に配置されている。そのように構成することにより、位置決め部材（５ａ，５ｂ）が設けられない場合よりも、導光部材（４ｃ）と導光部材（４ｄ）と導光部材（４ｂ）とが別個の部材として構成されるのに伴って、導光部材（４ｄ）から導光部材（４ｃ）への光の伝達効率および導光部材（４ｄ）から導光部材（４ｂ）への光の伝達効率が低下してしまうのを抑制することができる。
【図面の簡単な説明】
【００６０】
【図１】第１の実施形態のドアハンドル装置１０が適用されたドア１００を示した図である。
【図２】第１の実施形態のドアハンドル装置１０の主要構成部品をドア本体１の一方の表面１ａの側から見た分解斜視図である。
【図３】第１の実施形態のドアハンドル装置１０の主要構成部品の一部である導光部材４ａ，４ｂを示した図である。
【図４】第１の実施形態のドアハンドル装置１０の主要構成部品の一部である導光部材４ａ，４ｂを示した図である。
【図５】ドア本体１に対するドアハンドル装置１０のドアハンドル２の回転量θが４５°の時における導光部材４ａ，４ｂを示した図である。
【図６】第１の実施形態のドアハンドル装置１０の主要構成部品の詳細図である。
【図７】第１の実施形態のドアハンドル装置１０の主要構成部品の詳細図である。
【図８】第１の実施形態のドアハンドル装置１０の主要構成部品の一部である導光部材４ａの湾曲部分４ａ３および導光部材４ｂの湾曲部分４ｂ２を説明するための図である。
【図９】第１の実施形態のドアハンドル装置１０の主要構成部品の一部をドア本体１の他方の表面１ｂの側から見た分解斜視図である。
【図１０】第３の実施形態のドアハンドル装置１０の主要構成部品をドア本体１の一方の表面１ａの側から見た分解斜視図である。
【図１１】第３の実施形態のドアハンドル装置１０の主要構成部品の一部である導光部材４ｂ，４ｃ，４ｄを示した図である。
【図１２】第３の実施形態のドアハンドル装置１０の主要構成部品の一部である導光部材４ｂ，４ｃ，４ｄを示した図である。
【図１３】ドア本体１に対するドアハンドル装置１０のドアハンドル２の回転量θが４５°の時における導光部材４ｂ，４ｃ，４ｄを示した図である。
【図１４】第３の実施形態のドアハンドル装置１０の主要構成部品の詳細図である。
【図１５】第３の実施形態のドアハンドル装置１０の主要構成部品の詳細図である。
【図１６】第３の実施形態のドアハンドル装置１０の主要構成部品の一部である導光部材４ｃの湾曲部分４ｃ２および導光部材４ｂの湾曲部分４ｂ２を説明するための図である。
【発明を実施するための形態】
【００６１】
以下、本発明のドアハンドル装置の第１の実施形態について説明する。図１は第１の実施形態のドアハンドル装置１０が適用されたドア１００を示した図である。詳細には、図１（Ａ）はドア１００の正面図である。つまり、図１（Ａ）はドア本体１の一方の表面１ａの側からドア１００を見た図である。図１（Ｂ）はドア１００の右側面図である。図１（Ｃ）はドア１００の後側面図である。つまり、図１（Ｃ）はドア本体１の他方の表面１ｂの側からドア１００を見た図である。図２は第１の実施形態のドアハンドル装置１０の主要構成部品をドア本体１の一方の表面１ａの側から見た分解斜視図である。
【００６２】
図３および図４は第１の実施形態のドアハンドル装置１０の主要構成部品の一部である導光部材４ａ，４ｂを示した図である。詳細には、図３および図４はドア本体１に対するドアハンドル装置１０のドアハンドル２の回転量θが０°の時における導光部材４ａ，４ｂを示した図である。更に詳細には、図３（Ａ）は導光部材４ａ，４ｂの後側面図、図３（Ｂ）は導光部材４ａ，４ｂの平面図、図３（Ｃ）は導光部材４ａ，４ｂの正面図、図４（Ａ）は導光部材４ａ，４ｂの左側面図、図４（Ｂ）は図３（Ｂ）のＡ−Ａ線に沿った鉛直断面図、図４（Ｃ）は図３（Ｂ）のＢ−Ｂ線に沿った鉛直断面図である。図５はドア本体１に対するドアハンドル装置１０のドアハンドル２の回転量θが４５°の時における導光部材４ａ，４ｂを示した図である。詳細には、図５（Ａ）は導光部材４ａ，４ｂの後側面図、図５（Ｂ）は導光部材４ａ，４ｂの正面図である。
【００６３】
図６および図７は第１の実施形態のドアハンドル装置１０の主要構成部品の詳細図である。詳細には、図６（Ａ）はドア本体１に対するドアハンドル装置１０のドアハンドル２の回転量θが０°の時における図３（Ｂ）のＡ−Ａ線に沿ったドアハンドル装置１０の主要構成部品の鉛直断面図である。図６（Ｂ）はドア本体１に対するドアハンドル装置１０のドアハンドル２の回転量θが０°の時における図３（Ｂ）のＢ−Ｂ線に沿ったドアハンドル装置１０の主要構成部品の鉛直断面図である。図７（Ａ）はドア本体１に対するドアハンドル装置１０のドアハンドル２の回転量θが４５°の時における図３（Ｂ）のＡ−Ａ線に沿ったドアハンドル装置１０の主要構成部品の鉛直断面図である。図７（Ｂ）はドア本体１に対するドアハンドル装置１０のドアハンドル２の回転量θが４５°の時における図３（Ｂ）のＢ−Ｂ線に沿ったドアハンドル装置１０の主要構成部品の鉛直断面図である。図８は第１の実施形態のドアハンドル装置１０の主要構成部品の一部である導光部材４ａの湾曲部分４ａ３および導光部材４ｂの湾曲部分４ｂ２を説明するための図である。図９は第１の実施形態のドアハンドル装置１０の主要構成部品の一部をドア本体１の他方の表面１ｂの側から見た分解斜視図である。
【００６４】
第１の実施形態のドアハンドル装置１０では、ドア本体１（図１参照）の一方の表面１ａ（図１参照）に対して概略垂直に延びている軸部２ａ（図２参照）と、ドア本体１の一方の表面１ａに対して概略平行に延びている取っ手部２ｂ（図２参照）とを有し、ドア本体１に対して回転可能に構成された概略Ｌ字状のドアハンドル２（図１および図２参照）が設けられている。また、例えば金属、樹脂などの材料によってドアハンドル２が形成されている。
【００６５】
更に、第１の実施形態のドアハンドル装置１０では、図６および図７に示すように、ドア本体１によって、または、ドア本体１に固定された例えば放熱部材（図示せず）などのようなドア本体１とは別個の部材によって、発光素子光源３が支持されている。つまり、第１の実施形態のドアハンドル装置１０では、発光素子光源３が、ドア本体１に対して回転可能に構成されたドアハンドル２（図２参照）によって支持されるのではなく、ドア本体１またはドア本体１に固定されたドア本体１とは別個の部材によって支持されている。つまり、第１の実施形態のドアハンドル装置１０では、ドア本体１に対するドアハンドル２の回転量θが０°の時（図６参照）と、ドア本体１に対するドアハンドル２の回転量θが４５°の時（図７参照）とで、発光素子光源３の位置が変わらない。
【００６６】
そのため、第１の実施形態のドアハンドル装置１０によれば、ドア本体１に対して回転可能に構成されたドアハンドル２によって発光素子光源３が支持される場合よりも、発光素子光源１に電力を供給する電気配線（図示せず）の信頼性を向上させることができ、ドアハンドル２を小型化することができる。
【００６７】
また、第１の実施形態のドアハンドル装置１０では、図２に示すように、ドアハンドル２の軸部２ａに概略平行な軸部平行部分４ａ１（図３および図４参照）と、ドアハンドル２の取っ手部２ｂに概略平行な取っ手部平行部分４ａ２（図３および図４参照）と、軸部平行部分４ａ１と取っ手部平行部分４ａ２とを橋絡する湾曲部分４ａ３（図３および図４参照）とを有する概略Ｌ字状の導光部材４ａ（図３および図４参照）の一部が、ドアハンドル２内に配置されている。
【００６８】
更に、第１の実施形態のドアハンドル装置１０では、図３および図４に示すように、発光素子光源３（図２、図６および図７参照）からの光が入射する入射面４ａ１ａ（図４参照）が、導光部材４ａの軸部平行部分４ａ１に設けられている。
【００６９】
また、第１の実施形態のドアハンドル装置１０では、図３、図４および図６に示すように、ドア本体１（図１参照）に対するドアハンドル２（図１参照）の回転量θが例えば０°のような第１角度の時に、入射面４ａ１ａからの光を反射して湾曲部分４ａ３（図３（Ｂ）参照）に導光する反射面４ａ１ｂが、導光部材４ａの軸部平行部分４ａ１（図３（Ｂ）参照）に設けられている。
【００７０】
更に、第１の実施形態のドアハンドル装置１０では、図５および図７に示すように、ドア本体１（図１参照）に対するドアハンドル２（図１参照）の回転量θが例えば４５°のような第２角度の時に、入射面４ａ１ａからの光を反射して湾曲部分４ａ３（図３（Ｂ）参照）に導光する反射面４ａ１ｃが、導光部材４ａの軸部平行部分４ａ１（図３（Ｂ）参照）に設けられている。
【００７１】
また、第１の実施形態のドアハンドル装置１０では、図３および図４に示すように、導光部材４ａの湾曲部分４ａ３から取っ手部平行部分４ａ２に導光され、取っ手部平行部分４ａ２の反射部４ａ２ｂによって反射された光を出射する出射面４ａ２ａが、導光部材４ａの取っ手部平行部分４ａ２のうち、ドア本体１（図１参照）の反対側（図１（Ｂ）の左側）の部分に設けられている。
【００７２】
更に、第１の実施形態のドアハンドル装置１０では、図２に示すように、導光部材４ａ（図３および図４参照）の取っ手部平行部分４ａ２（図３および図４参照）の出射面４ａ２ａ（図１（Ａ）、図３および図４参照）からの光を透過させる開口２ｂ１（図１（Ａ）および図２参照）が、ドアハンドル２の取っ手部２ｂに設けられている。
【００７３】
つまり、第１の実施形態のドアハンドル装置１０では、図３、図４および図６に示すように、ドア本体１（図１参照）に対するドアハンドル２（図１参照）の回転量θが例えば０°のような第１角度の時に、発光素子光源３（図６参照）からの光が、導光部材４ａの軸部平行部分４ａ１（図３（Ｂ）参照）の入射面４ａ１ａ（図６参照）に入射し、次いで、軸部平行部分４ａ１の入射面４ａ１ａからの光が、軸部平行部分４ａ１の反射面４ａ１ｂ（図３（Ｂ）、図４（Ｂ）および図６（Ａ）参照）によって反射されて湾曲部分４ａ３（図３（Ｂ）参照）に導光され、次いで、湾曲部分４ａ３から取っ手部平行部分４ａ２（図３（Ｂ）および図３（Ｃ）参照）に導光され、取っ手部平行部分４ａ２の反射部４ａ２ｂ（図３（Ｂ）参照）によって反射された光が、取っ手部平行部分４ａ２の出射面４ａ２ａ（図１（Ａ）、図２および図３（Ｃ）参照）から出射し、次いで、取っ手部平行部分４ａ２の出射面４ａ２ａからの光が、ドアハンドル２（図１および図２参照）の取っ手部２ｂ（図２参照）の開口２ｂ１（図１（Ａ）および図２参照）を透過せしめられる。
【００７４】
また、第１の実施形態のドアハンドル装置１０では、図５および図７に示すように、ドア本体１（図１参照）に対するドアハンドル２（図１参照）の回転量θが例えば４５°のような第２角度の時に、発光素子光源３（図７参照）からの光が、導光部材４ａの軸部平行部分４ａ１（図３（Ｂ）参照）の入射面４ａ１ａ（図７参照）に入射し、次いで、軸部平行部分４ａ１の入射面４ａ１ａからの光が、軸部平行部分４ａ１の反射面４ａ１ｃ（図３（Ｂ）および図７（Ａ）参照）によって反射されて湾曲部分４ａ３（図３（Ｂ）参照）に導光され、次いで、湾曲部分４ａ３から取っ手部平行部分４ａ２（図３（Ｂ）および図５（Ｂ）参照）に導光され、取っ手部平行部分４ａ２の反射部４ａ２ｂ（図３（Ｂ）参照）によって反射された光が、取っ手部平行部分４ａ２の出射面４ａ２ａ（図１（Ａ）、図２および図５（Ｂ）参照）から出射し、次いで、取っ手部平行部分４ａ２の出射面４ａ２ａからの光が、ドアハンドル２（図１および図２参照）の取っ手部２ｂ（図２参照）の開口２ｂ１（図１（Ａ）および図２参照）を透過せしめられる。
【００７５】
そのため、第１の実施形態のドアハンドル装置１０によれば、図３、図４および図６に示すようにドア本体１に対するドアハンドル２の回転量θが例えば０°のような第１角度の時のみならず、図５および図７に示すようにドア本体１に対するドアハンドル２の回転量θが例えば４５°のような第２角度の時にも、ドアハンドル２の取っ手部２ｂが光って見えるようにすることができる。
【００７６】
換言すれば、第１の実施形態のドアハンドル装置１０によれば、図３、図４および図６に示すようにドア本体１に対するドアハンドル２の回転量θが例えば０°のような第１角度の時のみならず、図５および図７に示すようにドア本体１に対するドアハンドル２の回転量θが例えば４５°のような第２角度の時にも、ドアハンドル２の取っ手部２ｂが光って見えるようにしつつ、発光素子光源３に電力を供給する電気配線の信頼性を向上させることができると共に、ドアハンドル２の大型化を回避することができる。
【００７７】
第１の実施形態のドアハンドル装置１０では、ドア本体１に対するドアハンドル２の回転量θの第１角度が０°に設定され、ドア本体１に対するドアハンドル２の回転量θの第２角度が４５°に設定されているが、第１の実施形態のドアハンドル装置１０の変形例では、ドア本体１に対するドアハンドル２の回転量θの第１角度を０°以外の任意の角度に設定したり、ドア本体１に対するドアハンドル２の回転量θの第２角度を４５°以外の任意の角度に設定したりすることも可能である。
【００７８】
更に、第１の実施形態のドアハンドル装置１０では、図３、図４および図６に示すようにドア本体１（図１参照）に対するドアハンドル２（図１参照）の回転量θが例えば０°のような第１角度の時に入射面４ａ１ａ（図４（Ｂ）および図６参照）からの光を反射する反射面４ａ１ｂ（図３（Ｂ）、図４（Ｂ）および図６参照）と、図５および図７に示すようにドア本体１に対するドアハンドル２の回転量θが例えば４５°のような第２角度の時に入射面４ａ１ａからの光を反射する反射面４ａ１ｃ（図３（Ｂ）および図７参照）とが異なる放物面によって構成されている。
【００７９】
そのため、第１の実施形態のドアハンドル装置１０によれば、図３、図４および図６に示すようにドア本体１（図１参照）に対するドアハンドル２（図１参照）の回転量θが例えば０°のような第１角度の時にドアハンドル２の取っ手部２ｂ（図２参照）が明るく光って見えるようにすると共に、図５および図７に示すようにドア本体１に対するドアハンドル２の回転量θが例えば４５°のような第２角度の時に、ドア本体１に対するドアハンドル２の回転量θが第１角度の時と同様に、ドアハンドル２の取っ手部２ｂが明るく光って見えるようにすることができる。
【００８０】
第２の実施形態のドアハンドル装置１０では、代わりに、図３、図４および図６に示すようにドア本体１（図１参照）に対するドアハンドル２（図１参照）の回転量θが例えば０°のような第１角度の時に入射面４ａ１ａ（図４（Ｂ）および図６参照）からの光を反射する反射面４ａ１ｂ（図３（Ｂ）、図４（Ｂ）および図６参照）と、図５および図７に示すようにドア本体１に対するドアハンドル２の回転量θが例えば４５°のような第２角度の時に入射面４ａ１ａからの光を反射する反射面４ａ１ｃ（図３（Ｂ）および図７参照）とを、異なる平面によって構成することも可能である。
【００８１】
更に、第１の実施形態のドアハンドル装置１０では、図８に示すように、ドアハンドル２（図２参照）の軸部２ａ（図２参照）に対して概略平行（図８の上下方向）に延びている長軸と、ドアハンドル２の取っ手部２ｂ（図２参照）に対して概略平行（図８の左右方向）に延びている短軸とを有する楕円弧によって、導光部材４ａの湾曲部分４ａ３の中心軸線４ａ３ＣＬが構成されている。図８に示す例では、例えば、その長軸の長径が１６０ｍｍに設定され、その短軸の短径が３４ｍｍに設定されている。
【００８２】
そのため、第１の実施形態のドアハンドル装置１０によれば、円弧によって導光部材４ａの湾曲部分４ａ３の中心軸線４ａ３ＣＬが構成されている場合よりも、導光部材４ａの湾曲部分４ａ３における内面反射効率を向上させることができ、ドアハンドル２（図１および図２参照）の取っ手部２ｂ（図２参照）が明るく光って見えるようにすることができる。更に、第１の実施形態のドアハンドル装置１０によれば、ドアハンドル２の軸部２ａ（図２参照）に対して概略平行（図８の上下方向）に延びている短軸とドアハンドル２の取っ手部２ｂ（図２参照）に対して概略平行（図８の左右方向）に延びている長軸とを有する楕円弧によって導光部材４ａの湾曲部分４ａ３の中心軸線４ａ３ＣＬが構成されている場合よりも、導光部材４ａの湾曲部分４ａ３における内面反射効率を向上させることができ、ドアハンドル２の取っ手部２ｂが明るく光って見えるようにすることができる。
【００８３】
つまり、第１の実施形態のドアハンドル装置１０によれば、円弧によって導光部材４ａの湾曲部分４ａ３の中心軸線４ａ３ＣＬが構成されている場合、および、ドアハンドル２の軸部２ａ（図２参照）に対して概略平行（図８の上下方向）に延びている短軸とドアハンドル２の取っ手部２ｂ（図２参照）に対して概略平行（図８の左右方向）に延びている長軸とを有する楕円弧によって導光部材４ａの湾曲部分４ａ３の中心軸線４ａ３ＣＬが構成されている場合よりも、発光素子光源３（図２参照）からの光が導光部材４ａ（図８参照）の湾曲部分４ａ３（図８参照）の表面を透過する量を低減することができる。
【００８４】
更に、第１の実施形態のドアハンドル装置１０では、図１および図９に示すように、ドア本体１（図１参照）の他方の表面１ｂ（図１参照）に対して概略垂直に延びている軸部２ａ’（図９参照）と、ドア本体１の他方の表面１ｂに対して概略平行に延びている取っ手部２ｂ’（図９参照）とを有し、ドア本体１に対してドアハンドル２（図１参照）と一体的に回転可能に構成された概略Ｌ字状のドアハンドル２’が、ドア本体１の他方の表面１ｂの側に配置されている。また、例えば金属、樹脂などの材料によってドアハンドル２’が形成されている。
【００８５】
また、第１の実施形態のドアハンドル装置１０では、図３、図４および図９に示すように、ドアハンドル２’（図９参照）の取っ手部２ｂ’（図９参照）に概略平行な取っ手部平行部分４ｂ１と、概略Ｌ字状のドアハンドル２’のコーナー部に対応する湾曲部分４ｂ２とを有する導光部材４ｂが、ドアハンドル２’内に配置されている。
【００８６】
更に、第１の実施形態のドアハンドル装置１０では、図３、図４および図６に示すように、ドア本体１（図１参照）に対するドアハンドル２，２’（図１参照）の回転量θが例えば０°のような第１角度の時に入射面４ａ１ａ（図４および図６参照）からの光を反射して導光部材４ｂの湾曲部分４ｂ２（図３および図４参照）に導光する反射面４ａ１ｄ（図３（Ｂ）、図４（Ｂ）および図６参照）が、導光部材４ａの軸部平行部分４ａ１（図３および図４参照）に設けられている。
【００８７】
また、第１の実施形態のドアハンドル装置１０では、図５および図７に示すように、ドア本体１（図１参照）に対するドアハンドル２，２’（図１参照）の回転量θが例えば４５°のような第２角度の時に入射面４ａ１ａ（図７参照）からの光を反射して導光部材４ｂ（図３（Ｂ）参照）の湾曲部分４ｂ２（図３（Ｂ）参照）に導光する反射面４ａ１ｅ（図３（Ｂ）および図７参照）が、導光部材４ａ（図３（Ｂ）参照）の軸部平行部分４ａ１（図３（Ｂ）参照）に設けられている。
【００８８】
更に、第１の実施形態のドアハンドル装置１０では、図３、図４および図９に示すように、導光部材４ｂの湾曲部分４ｂ２から取っ手部平行部分４ｂ１に導光され、取っ手部平行部分４ｂ１の反射部４ｂ１ｂ（図３（Ｂ）参照）によって反射された光を出射する出射面４ｂ１ａが、導光部材４ｂの取っ手部平行部分４ｂ１のうち、ドア本体１（図１参照）の反対側（図１（Ｂ）の右側）の部分に設けられている。また、導光部材４ｂの取っ手部平行部分４ｂ１の出射面４ｂ１ａからの光を透過させる開口２ｂ１’（図１（Ｃ）および図９参照）が、ドアハンドル２’（図１および図９参照）の取っ手部２ｂ’（図９参照）に設けられている。
【００８９】
つまり、第１の実施形態のドアハンドル装置１０では、図３、図４および図６に示すように、ドア本体１（図１参照）に対するドアハンドル２，２’（図１参照）の回転量θが例えば０°のような第１角度の時に、発光素子光源３（図６参照）からの光が、導光部材４ａの軸部平行部分４ａ１（図３（Ｂ）参照）の入射面４ａ１ａ（図６参照）に入射し、次いで、軸部平行部分４ａ１の入射面４ａ１ａからの光が、軸部平行部分４ａ１の反射面４ａ１ｄ（図３（Ｂ）、図４（Ｂ）および図６参照）によって反射されて導光部材４ｂの湾曲部分４ｂ２（図３（Ｂ）参照）に導光され、次いで、導光部材４ｂの湾曲部分４ｂ２から取っ手部平行部分４ｂ１（図３（Ｂ）参照）に導光され、取っ手部平行部分４ｂ１の反射部４ｂ１ｂ（図３（Ｂ）参照）によって反射された光が、取っ手部平行部分４ｂ１の出射面４ｂ１ａ（図１（Ｃ）、図３（Ａ）および図９参照）から出射し、次いで、取っ手部平行部分４ｂ１の出射面４ｂ１ａからの光が、ドアハンドル２’（図１および図９参照）の取っ手部２ｂ’（図９参照）の開口２ｂ１’（図１（Ｃ）および図９参照）を透過せしめられる。
【００９０】
また、第１の実施形態のドアハンドル装置１０では、図５および図７に示すように、ドア本体１（図１参照）に対するドアハンドル２，２’（図１参照）の回転量θが例えば４５°のような第２角度の時に、発光素子光源３（図７参照）からの光が、導光部材４ａの軸部平行部分４ａ１（図３（Ｂ）参照）の入射面４ａ１ａ（図７参照）に入射し、次いで、軸部平行部分４ａ１の入射面４ａ１ａからの光が、軸部平行部分４ａ１の反射面４ａ１ｅ（図３（Ｂ）および図７参照）によって反射されて導光部材４ｂの湾曲部分４ｂ２（図３（Ｂ）参照）に導光され、次いで、導光部材４ｂの湾曲部分４ｂ２から取っ手部平行部分４ｂ１（図３（Ｂ）参照）に導光され、取っ手部平行部分４ｂ１の反射部４ｂ１ｂ（図３（Ｂ）参照）によって反射された光が、取っ手部平行部分４ｂ１の出射面４ｂ１ａ（図１（Ｃ）、図３（Ａ）および図９参照）から出射し、次いで、取っ手部平行部分４ｂ１の出射面４ｂ１ａからの光が、ドアハンドル２’（図１および図９参照）の取っ手部２ｂ’（図９参照）の開口２ｂ１’（図１（Ｃ）および図９参照）を透過せしめられる。
【００９１】
そのため、第１の実施形態のドアハンドル装置１０によれば、発光素子光源３からの光によってドアハンドル２（図１（Ａ）参照）の取っ手部２ｂ（図２参照）が光って見えるようにすると共に、ドアハンドル２’（図１（Ｃ）参照）の取っ手部２ｂ’（図９参照）が光って見えるようにすることができる。つまり、第１の実施形態のドアハンドル装置１０によれば、ドアハンドル２の取っ手部２ｂが光って見えるようにするための発光素子光源とドアハンドル２’の取っ手部２ｂ’が光って見えるようにするための発光素子光源とが別個に設けられている場合よりも、発光素子光源３の数を削減することができる。
【００９２】
更に、第１の実施形態のドアハンドル装置１０では、図２および図６（Ａ）に示すように、導光部材４ａ，４ｂを相対的に位置決めするために例えば金属、樹脂などの材料によって形成された位置決め部材５ａ，５ｂが、導光部材４ａと導光部材４ｂとに跨るように導光部材４ａ，４ｂの周囲に配置されている。そのため、第１の実施形態のドアハンドル装置１０によれば、位置決め部材５ａ，５ｂが設けられない場合よりも、導光部材４ａと導光部材４ｂとが別個の部材として構成されるのに伴って、導光部材４ａから導光部材４ｂへの光の伝達効率が低下してしまうのを抑制することができる。
【００９３】
詳細には、図２に示す例では、例えば金属、樹脂などによって形成されたカバー７ａ，７ｂを介して、導光部材４ａの取っ手部平行部分４ａ２および湾曲部分４ａ３がドアハンドル２内に収容されている。更に、導光部材４ａの取っ手部平行部分４ａ２の出射面４ａ２ａからの光を透過させる開口７ａ１，７ｂ１がカバー７ａ，７ｂに形成されている。
【００９４】
同様に、図９に示す例では、例えば金属、樹脂などによって形成されたカバー７ａ’，７ｂ’を介して、導光部材４ｂの取っ手部平行部分４ｂ１および湾曲部分４ｂ２がドアハンドル２’内に収容されている。更に、導光部材４ｂの取っ手部平行部分４ｂ１の出射面４ｂ１ａからの光を透過させる開口７ａ１’，７ｂ１’がカバー７ａ’，７ｂ’に形成されている。
【００９５】
また、図２に示す例では、導光部材４ａと導光部材４ｂとに跨るように導光部材４ａ，４ｂの周囲に配置されている位置決め部材５ａ，５ｂが、例えば金属、樹脂などによって形成されたカバー６ａ，６ｂによって包囲されている。更に、それらが、軸受部材１ｃ，１ｄによって、ドア本体１（図１参照）に対して回転可能に支持されている。他の例では、位置決め部材５ａとカバー６ａとを一体的に形成し、位置決め部材５ｂとカバー６ｂとを一体的に形成することも可能である。
【００９６】
更に、図３、図４および図６に示す例では、導光部材４ａの軸部平行部分４ａ１の位置決め突起４ａ１ｆと位置決め部材５ａ，５ｂの位置決め穴５ａ１，５ｂ１（図６（Ａ）参照）とを係合させることにより、導光部材４ａの軸部平行部分４ａ１が位置決め部材５ａ，５ｂに対して位置決めされている。また、図２および図６に示す例では、発光素子光源３からの光を透過させる切り欠き部５ｂ２が位置決め部材５ｂに形成されている。更に、発光素子光源３からの光を透過させる切り欠き部６ｂ３がカバー６ｂに形成されている。また、発光素子光源３からの光を透過させる切り欠き部１ｄ１が軸受部材１ｄに形成されている。
【００９７】
また、図２に示す例では、カバー６ａ，６ｂの外周面６ａ１，６ｂ１が軸受部材１ｃ，１ｄに対して摺動可能に軸受部材１ｃ，１ｄによって支持されている。つまり、軸受部材１ｃ，１ｄがすべり軸受を構成している。更に、図２に示す例では、図３、図４および図６に示すようにドア本体１（図１参照）に対するドアハンドル２，２’（図１参照）の回転量θが例えば０°のような第１角度の時に、カバー６ａの係止突起６ａ２の一端が軸受部材１ｃに突き当たり、図５および図７に示すようにドア本体１に対するドアハンドル２，２’の回転量θが例えば４５°のような第２角度の時に、カバー６ａの係止突起６ａ２の他端が軸受部材１ｃに突き当たるように、カバー６ａおよび軸受部材１ｃが構成されている。また、図３、図４および図６に示すようにドア本体１（図１参照）に対するドアハンドル２，２’（図１参照）の回転量θが例えば０°のような第１角度の時の状態がドアハンドル２，２’のホームポジションになるように、バネ（図示せず）によってドアハンドル２，２’が付勢されている。
【００９８】
更に、図２および図９に示す例では、ドアハンドル２とドアハンドル２’とが鏡像関係に構成されている。また、導光部材４ａの取っ手部平行部分４ａ２と導光部材４ｂの取っ手部平行部分４ｂ１とが鏡像関係に構成され、導光部材４ａの湾曲部分４ａ３と導光部材４ｂの湾曲部分４ｂ２とが鏡像関係に構成されている。更に、カバー７ａ，７ｂとカバー７ａ’，７ｂ’とが鏡像関係に構成されている。
【００９９】
例えばドア本体１（図１参照）に対して、例えばカードキーシステム、ＩＣキーシステムなどのための電源が供給されている場合には、その電源から発光素子光源３（図２参照）に電源が供給される。また、例えば発光素子光源３が複数の色の光を発光することができる場合には、ドアハンドル２，２’（図１参照）の開口２ｂ１，２ｂ１’（図１参照）から照射される光を、イルミネーション光として用いるのみならず、ドア１００（図１参照）の内側の部屋の使用状況などを示す信号光として用いることができる。
【０１００】
以下、本発明のドアハンドル装置の第３の実施形態について説明する。第１の実施形態のドアハンドル装置１０では、２個の導光部材４ａ，４ｂ（図２参照）が用いられているが、第３の実施形態のドアハンドル装置１０では、代わりに、３個の導光部材４ｂ，４ｃ，４ｄ（図１０参照）が用いられている。
【０１０１】
図１０は第３の実施形態のドアハンドル装置１０の主要構成部品をドア本体１の一方の表面１ａの側から見た分解斜視図である。図１１および図１２は第３の実施形態のドアハンドル装置１０の主要構成部品の一部である導光部材４ｂ，４ｃ，４ｄを示した図である。詳細には、図１１および図１２はドア本体１に対するドアハンドル装置１０のドアハンドル２の回転量θが０°の時における導光部材４ｂ，４ｃ，４ｄを示した図である。更に詳細には、図１１（Ａ）は導光部材４ｂ，４ｃ，４ｄの後側面図、図１１（Ｂ）は導光部材４ｂ，４ｃ，４ｄの平面図、図１１（Ｃ）は導光部材４ｂ，４ｃ，４ｄの正面図、図１２（Ａ）は導光部材４ｂ，４ｃ，４ｄの左側面図、図１２（Ｂ）は図１１（Ｂ）のＣ−Ｃ線に沿った鉛直断面図、図１１（Ｃ）は図１１（Ｂ）のＤ−Ｄ線に沿った鉛直断面図である。図１３はドア本体１に対するドアハンドル装置１０のドアハンドル２の回転量θが４５°の時における導光部材４ｂ，４ｃ，４ｄを示した図である。詳細には、図１３（Ａ）は導光部材４ｂ，４ｃ，４ｄの後側面図、図１３（Ｂ）は導光部材４ｂ，４ｃ，４ｄの正面図である。
【０１０２】
図１４および図１５は第３の実施形態のドアハンドル装置１０の主要構成部品の詳細図である。詳細には、図１４（Ａ）はドア本体１に対するドアハンドル装置１０のドアハンドル２の回転量θが０°の時における図１２（Ｂ）のＣ−Ｃ線に沿ったドアハンドル装置１０の主要構成部品の鉛直断面図である。図１４（Ｂ）はドア本体１に対するドアハンドル装置１０のドアハンドル２の回転量θが０°の時における図１２（Ｂ）のＤ−Ｄ線に沿ったドアハンドル装置１０の主要構成部品の鉛直断面図である。図１５（Ａ）はドア本体１に対するドアハンドル装置１０のドアハンドル２の回転量θが４５°の時における図１２（Ｂ）のＣ−Ｃ線に沿ったドアハンドル装置１０の主要構成部品の鉛直断面図である。図１５（Ｂ）はドア本体１に対するドアハンドル装置１０のドアハンドル２の回転量θが４５°の時における図１２（Ｂ）のＤ−Ｄ線に沿ったドアハンドル装置１０の主要構成部品の鉛直断面図である。図１６は第３の実施形態のドアハンドル装置１０の主要構成部品の一部である導光部材４ｃの湾曲部分４ｃ２および導光部材４ｂの湾曲部分４ｂ２を説明するための図である。
【０１０３】
第３の実施形態のドアハンドル装置１０では、ドア本体１（図１参照）の一方の表面１ａ（図１参照）に対して概略垂直に延びている軸部２ａ（図１０参照）と、ドア本体１の一方の表面１ａに対して概略平行に延びている取っ手部２ｂ（図１０参照）とを有し、ドア本体１に対して回転可能に構成された概略Ｌ字状のドアハンドル２（図１および図１０参照）が設けられている。また、例えば金属、樹脂などの材料によってドアハンドル２が形成されている。
【０１０４】
更に、第３の実施形態のドアハンドル装置１０では、図１４および図１５に示すように、ドア本体１によって、または、ドア本体１に固定された例えば放熱部材（図示せず）などのようなドア本体１とは別個の部材によって、発光素子光源３が支持されている。つまり、第３の実施形態のドアハンドル装置１０では、発光素子光源３が、ドア本体１に対して回転可能に構成されたドアハンドル２（図１０参照）によって支持されるのではなく、ドア本体１またはドア本体１に固定されたドア本体１とは別個の部材によって支持されている。つまり、第３の実施形態のドアハンドル装置１０では、ドア本体１に対するドアハンドル２の回転量θが０°の時（図１４参照）と、ドア本体１に対するドアハンドル２の回転量θが４５°の時（図１５参照）とで、発光素子光源３の位置が変わらない。
【０１０５】
そのため、第３の実施形態のドアハンドル装置１０によれば、ドア本体１に対して回転可能に構成されたドアハンドル２によって発光素子光源３が支持される場合よりも、発光素子光源１に電力を供給する電気配線（図示せず）の信頼性を向上させることができ、ドアハンドル２を小型化することができる。
【０１０６】
また、第３の実施形態のドアハンドル装置１０では、図１０に示すように、ドアハンドル２の取っ手部２ｂに概略平行な取っ手部平行部分４ｃ１（図１１および図１２参照）と、概略Ｌ字状のドアハンドル２のコーナー部に対応する湾曲部分４ｃ２（図１１および図１２参照）とを有する概略Ｌ字状の導光部材４ｃ（図１１および図１２参照）が、ドアハンドル２内に配置されている。
【０１０７】
更に、第３の実施形態のドアハンドル装置１０では、図１１および図１２に示すように、発光素子光源３からの光が入射する入射面４ｄ１が、ドアハンドル２の軸部２ａ（図１０参照）に概略平行な導光部材４ｄに設けられている。
【０１０８】
また、第３の実施形態のドアハンドル装置１０では、図１１、図１２および図１４に示すように、ドア本体１（図１参照）に対するドアハンドル２（図１および図１０参照）の回転量θが例えば０°のような第１角度の時に、入射面４ｄ１（図１４参照）からの光を反射して導光部材４ｃの湾曲部分４ｃ２に導光する反射面４ｄ２が、導光部材４ｄに設けられている。
【０１０９】
更に、第３の実施形態のドアハンドル装置１０では、図１３および図１５に示すように、ドア本体１（図１参照）に対するドアハンドル２（図１および図１０参照）の回転量θが例えば４５°のような第２角度の時に、入射面４ｄ１（図１５参照）からの光を反射して導光部材４ｃの湾曲部分４ｃ２（図１１（Ｂ）参照）に導光する反射面４ｄ３が、導光部材４ｄに設けられている。
【０１１０】
また、第３の実施形態のドアハンドル装置１０では、図１１および図１２に示すように、導光部材４ｃの湾曲部分４ｃ２から取っ手部平行部分４ｃ１に導光され、取っ手部平行部分４ｃ１の反射部４ｃ１ｂによって反射された光を出射する出射面４ｃ１ａが、導光部材４ｃの取っ手部平行部分４ｃ１のうち、ドア本体１（図１参照）の反対側（図１（Ｂ）の左側）の部分に設けられている。
【０１１１】
更に、第３の実施形態のドアハンドル装置１０では、図１０に示すように、導光部材４ｃ（図１１および図１２参照）の取っ手部平行部分４ｃ１（図１１および図１２参照）の出射面４ｃ１ａ（図１１（Ｃ）参照）からの光を透過させる開口２ｂ１（図１（Ａ）および図１０参照）が、ドアハンドル２の取っ手部２ｂに設けられている。
【０１１２】
つまり、第３の実施形態のドアハンドル装置１０では、図１１、図１２および図１４に示すように、ドア本体１（図１参照）に対するドアハンドル２（図１参照）の回転量θが例えば０°のような第１角度の時に、発光素子光源３（図１４参照）からの光が、導光部材４ｄの入射面４ｄ１（図１４参照）に入射し、次いで、導光部材４ｄの入射面４ｄ１からの光が、導光部材４ｄの反射面４ｄ２（図１１（Ｂ）、図１２（Ｂ）および図１４（Ａ）参照）によって反射されて導光部材４ｃの湾曲部分４ｃ２（図１１（Ｂ）参照）に導光され、次いで、湾曲部分４ｃ２から取っ手部平行部分４ｃ１（図１１（Ｂ）および図１１（Ｃ）参照）に導光され、取っ手部平行部分４ｃ１の反射部４ｃ１ｂ（図１１（Ｂ）参照）によって反射された光が、取っ手部平行部分４ｃ１の出射面４ｃ１ａ（図１０および図１１（Ｃ）参照）から出射し、次いで、取っ手部平行部分４ｃ１の出射面４ｃ１ａからの光が、ドアハンドル２（図１および図１０参照）の取っ手部２ｂ（図１０参照）の開口２ｂ１（図１（Ａ）および図１０参照）を透過せしめられる。
【０１１３】
また、第３の実施形態のドアハンドル装置１０では、図１３および図１５に示すように、ドア本体１（図１参照）に対するドアハンドル２（図１参照）の回転量θが例えば４５°のような第２角度の時に、発光素子光源３（図１５参照）からの光が、導光部材４ｄの入射面４ｄ１（図１５参照）に入射し、次いで、導光部材４ｄの入射面４ｄ１からの光が、導光部材４ｄの反射面４ｄ３（図１１（Ｂ）および図１５（Ａ）参照）によって反射されて導光部材４ｃの湾曲部分４ｃ２（図１１（Ｂ）参照）に導光され、次いで、湾曲部分４ｃ２から取っ手部平行部分４ｃ１（図１１（Ｂ）および図１３（Ｂ）参照）に導光され、取っ手部平行部分４ｃ１の反射部４ｃ１ｂ（図１１（Ｂ）参照）によって反射された光が、取っ手部平行部分４ｃ１の出射面４ｃ１ａ（図１０および図１３（Ｂ）参照）から出射し、次いで、取っ手部平行部分４ｃ１の出射面４ｃ１ａからの光が、ドアハンドル２（図１および図１０参照）の取っ手部２ｂ（図１０参照）の開口２ｂ１（図１（Ａ）および図１０参照）を透過せしめられる。
【０１１４】
そのため、第３の実施形態のドアハンドル装置１０によれば、図１１、図１２および図１４に示すようにドア本体１に対するドアハンドル２の回転量θが例えば０°のような第１角度の時のみならず、図１３および図１５に示すようにドア本体１に対するドアハンドル２の回転量θが例えば４５°のような第２角度の時にも、ドアハンドル２の取っ手部２ｂが光って見えるようにすることができる。
【０１１５】
換言すれば、第３の実施形態のドアハンドル装置１０によれば、図１１、図１２および図１４に示すようにドア本体１に対するドアハンドル２の回転量θが例えば０°のような第１角度の時のみならず、図１３および図１５に示すようにドア本体１に対するドアハンドル２の回転量θが例えば４５°のような第２角度の時にも、ドアハンドル２の取っ手部２ｂが光って見えるようにしつつ、発光素子光源３に電力を供給する電気配線の信頼性を向上させることができると共に、ドアハンドル２の大型化を回避することができる。
【０１１６】
更に、第３の実施形態のドアハンドル装置１０では、図１１、図１２および図１４に示すようにドア本体１（図１参照）に対するドアハンドル２（図１参照）の回転量θが例えば０°のような第１角度の時に入射面４ｄ１（図１２（Ｂ）および図１４参照）からの光を反射する反射面４ｄ２（図１１（Ｂ）、図１２（Ｂ）および図１４参照）と、図１３および図１５に示すようにドア本体１に対するドアハンドル２の回転量θが例えば４５°のような第２角度の時に入射面４ｄ１からの光を反射する反射面４ｄ３（図１１（Ｂ）および図１４参照）とが異なる放物面によって構成されている。
【０１１７】
そのため、第３の実施形態のドアハンドル装置１０によれば、図１１、図１２および図１４に示すようにドア本体１（図１参照）に対するドアハンドル２（図１参照）の回転量θが例えば０°のような第１角度の時にドアハンドル２の取っ手部２ｂ（図１０参照）が明るく光って見えるようにすると共に、図１３および図１５に示すようにドア本体１に対するドアハンドル２の回転量θが例えば４５°のような第２角度の時に、ドア本体１に対するドアハンドル２の回転量θが第１角度の時と同様に、ドアハンドル２の取っ手部２ｂが明るく光って見えるようにすることができる。
【０１１８】
第４の実施形態のドアハンドル装置１０では、代わりに、図１１、図１２および図１４に示すようにドア本体１（図１参照）に対するドアハンドル２（図１参照）の回転量θが例えば０°のような第１角度の時に入射面４ｄ１（図１２（Ｂ）および図１４参照）からの光を反射する反射面４ｄ２（図１１（Ｂ）、図１２（Ｂ）および図１４参照）と、図１３および図１５に示すようにドア本体１に対するドアハンドル２の回転量θが例えば４５°のような第２角度の時に入射面４ｄ１からの光を反射する反射面４ｄ３（図１１（Ｂ）および図１５参照）とを、異なる平面によって構成することも可能である。
【０１１９】
更に、第３の実施形態のドアハンドル装置１０では、図１６に示すように、ドアハンドル２（図１０参照）の軸部２ａ（図１０参照）に対して概略平行（図１６の上下方向）に延びている長軸と、ドアハンドル２の取っ手部２ｂ（図１０参照）に対して概略平行（図１６の左右方向）に延びている短軸とを有する楕円弧によって、導光部材４ｃの湾曲部分４ｃ２の中心軸線４ｃ２ＣＬが構成されている。図１６に示す例では、例えば、その長軸の長径が１６０ｍｍに設定され、その短軸の短径が３４ｍｍに設定されている。
【０１２０】
そのため、第３の実施形態のドアハンドル装置１０によれば、円弧によって導光部材４ｃの湾曲部分４ｃ２の中心軸線４ｃ２ＣＬが構成されている場合よりも、導光部材４ｃの湾曲部分４ｃ２における内面反射効率を向上させることができ、ドアハンドル２（図１および図１０参照）の取っ手部２ｂ（図１０参照）が明るく光って見えるようにすることができる。更に、第３の実施形態のドアハンドル装置１０によれば、ドアハンドル２の軸部２ａ（図１０参照）に対して概略平行（図１６の上下方向）に延びている短軸とドアハンドル２の取っ手部２ｂ（図１０参照）に対して概略平行（図１６の左右方向）に延びている長軸とを有する楕円弧によって導光部材４ｃの湾曲部分４ｃ２の中心軸線４ｃ２ＣＬが構成されている場合よりも、導光部材４ｃの湾曲部分４ｃ２における内面反射効率を向上させることができ、ドアハンドル２の取っ手部２ｂが明るく光って見えるようにすることができる。
【０１２１】
つまり、第３の実施形態のドアハンドル装置１０によれば、円弧によって導光部材４ｃの湾曲部分４ｃ２の中心軸線４ｃ２ＣＬが構成されている場合、および、ドアハンドル２の軸部２ａ（図１０参照）に対して概略平行（図１６の上下方向）に延びている短軸とドアハンドル２の取っ手部２ｂ（図１０参照）に対して概略平行（図１６の左右方向）に延びている長軸とを有する楕円弧によって導光部材４ｃの湾曲部分４ｃ２の中心軸線４ｃ２ＣＬが構成されている場合よりも、発光素子光源３（図１０参照）からの光が導光部材４ｃ（図１６参照）の湾曲部分４ｃ２（図１６参照）の表面を透過する量を低減することができる。
【０１２２】
更に、第３の実施形態のドアハンドル装置１０では、図１および図９に示すように、ドア本体１（図１参照）の他方の表面１ｂ（図１参照）に対して概略垂直に延びている軸部２ａ’（図９参照）と、ドア本体１の他方の表面１ｂに対して概略平行に延びている取っ手部２ｂ’（図９参照）とを有し、ドア本体１に対してドアハンドル２（図１参照）と一体的に回転可能に構成された概略Ｌ字状のドアハンドル２’が、ドア本体１の他方の表面１ｂの側に配置されている。また、例えば金属、樹脂などの材料によってドアハンドル２’が形成されている。
【０１２３】
また、第３の実施形態のドアハンドル装置１０では、図９、図１１および図１２に示すように、ドアハンドル２’（図９参照）の取っ手部２ｂ’（図９参照）に概略平行な取っ手部平行部分４ｂ１と、概略Ｌ字状のドアハンドル２’のコーナー部に対応する湾曲部分４ｂ２とを有する導光部材４ｂが、ドアハンドル２’内に配置されている。
【０１２４】
更に、第３の実施形態のドアハンドル装置１０では、図１１、図１２および図１４に示すように、ドア本体１（図１参照）に対するドアハンドル２，２’（図１参照）の回転量θが例えば０°のような第１角度の時に入射面４ｄ１（図１２および図１４参照）からの光を反射して導光部材４ｂの湾曲部分４ｂ２（図１１および図１２参照）に導光する反射面４ｄ４（図１１（Ｂ）、図１２（Ｂ）および図１４参照）が、導光部材４ｄに設けられている。
【０１２５】
また、第３の実施形態のドアハンドル装置１０では、図１３および図１５に示すように、ドア本体１（図１参照）に対するドアハンドル２，２’（図１参照）の回転量θが例えば４５°のような第２角度の時に入射面４ｄ１（図１５参照）からの光を反射して導光部材４ｂ（図１１（Ｂ）参照）の湾曲部分４ｂ２（図１１（Ｂ）参照）に導光する反射面４ｄ５（図１１（Ｂ）および図１５参照）が、導光部材４ｄ（図１１（Ｂ）参照）に設けられている。
【０１２６】
更に、第３の実施形態のドアハンドル装置１０では、図９、図１１および図１２に示すように、導光部材４ｂの湾曲部分４ｂ２から取っ手部平行部分４ｂ１に導光され、取っ手部平行部分４ｂ１の反射部４ｂ１ｂ（図１１（Ｂ）参照）によって反射された光を出射する出射面４ｂ１ａが、導光部材４ｂの取っ手部平行部分４ｂ１のうち、ドア本体１（図１参照）の反対側（図１（Ｂ）の右側）の部分に設けられている。また、導光部材４ｂの取っ手部平行部分４ｂ１の出射面４ｂ１ａからの光を透過させる開口２ｂ１’（図１（Ｃ）および図９参照）が、ドアハンドル２’（図１および図９参照）の取っ手部２ｂ’（図９参照）に設けられている。
【０１２７】
つまり、第３の実施形態のドアハンドル装置１０では、図１１、図１２および図１４に示すように、ドア本体１（図１参照）に対するドアハンドル２，２’（図１参照）の回転量θが例えば０°のような第１角度の時に、発光素子光源３（図１４参照）からの光が、導光部材４ｄの入射面４ｄ１（図１４参照）に入射し、次いで、導光部材４ｄの入射面４ｄ１からの光が、導光部材４ｄの反射面４ｄ４（図１１（Ｂ）、図１２（Ｂ）および図１４参照）によって反射されて導光部材４ｂの湾曲部分４ｂ２（図１１（Ｂ）参照）に導光され、次いで、導光部材４ｂの湾曲部分４ｂ２から取っ手部平行部分４ｂ１（図１１（Ｂ）参照）に導光され、取っ手部平行部分４ｂ１の反射部４ｂ１ｂ（図１１（Ｂ）参照）によって反射された光が、取っ手部平行部分４ｂ１の出射面４ｂ１ａ（図１（Ｃ）、図９および図１１（Ａ）参照）から出射し、次いで、取っ手部平行部分４ｂ１の出射面４ｂ１ａからの光が、ドアハンドル２’（図１および図９参照）の取っ手部２ｂ’（図９参照）の開口２ｂ１’（図１（Ｃ）および図９参照）を透過せしめられる。
【０１２８】
また、第３の実施形態のドアハンドル装置１０では、図１３および図１５に示すように、ドア本体１（図１参照）に対するドアハンドル２，２’（図１参照）の回転量θが例えば４５°のような第２角度の時に、発光素子光源３（図１５参照）からの光が、導光部材４ｄの入射面４ｄ１（図１５参照）に入射し、次いで、導光部材４ｄの入射面４ｄ１からの光が、導光部材４ｄ１の反射面４ｄ５（図１１（Ｂ）および図１５参照）によって反射されて導光部材４ｂの湾曲部分４ｂ２（図１１（Ｂ）参照）に導光され、次いで、導光部材４ｂの湾曲部分４ｂ２から取っ手部平行部分４ｂ１（図１１（Ｂ）参照）に導光され、取っ手部平行部分４ｂ１の反射部４ｂ１ｂ（図１１（Ｂ）参照）によって反射された光が、取っ手部平行部分４ｂ１の出射面４ｂ１ａ（図１（Ｃ）、図９および図１１（Ａ）参照）から出射し、次いで、取っ手部平行部分４ｂ１の出射面４ｂ１ａからの光が、ドアハンドル２’（図１および図９参照）の取っ手部２ｂ’（図９参照）の開口２ｂ１’（図１（Ｃ）および図９参照）を透過せしめられる。
【０１２９】
そのため、第３の実施形態のドアハンドル装置１０によれば、発光素子光源３からの光によってドアハンドル２（図１（Ａ）参照）の取っ手部２ｂ（図１０参照）が光って見えるようにすると共に、ドアハンドル２’（図１（Ｃ）参照）の取っ手部２ｂ’（図９参照）が光って見えるようにすることができる。つまり、第３の実施形態のドアハンドル装置１０によれば、ドアハンドル２の取っ手部２ｂが光って見えるようにするための発光素子光源とドアハンドル２’の取っ手部２ｂ’が光って見えるようにするための発光素子光源とが別個に設けられている場合よりも、発光素子光源３の数を削減することができる。
【０１３０】
更に、第３の実施形態のドアハンドル装置１０では、図１０および図１４（Ａ）に示すように、導光部材４ｂ，４ｃ，４ｄを相対的に位置決めするために例えば金属、樹脂などの材料によって形成された位置決め部材５ａ，５ｂが、導光部材４ｃと導光部材４ｄと導光部材４ｂとに跨るように導光部材４ｂ，４ｃ，４ｄの周囲に配置されている。そのため、第３の実施形態のドアハンドル装置１０によれば、位置決め部材５ａ，５ｂが設けられない場合よりも、導光部材４ｂと導光部材４ｃと導光部材４ｄとが別個の部材として構成されるのに伴って、導光部材４ｄから導光部材４ｃへの光の伝達効率および導光部材４ｄから導光部材４ｂへの光の伝達効率が低下してしまうのを抑制することができる。
【０１３１】
第５の実施形態では、上述した第１から第４の実施形態、その変形例および上述した各例を適宜組み合わせることも可能である。
【符号の説明】
【０１３２】
１                  ドア本体
１ａ，１ｂ          表面
２                  ドアハンドル
２ａ                軸部
２ｂ                取っ手部
２ｂ１              開口
３                  発光素子光源
４ａ，４ｂ          導光部材
４ａ１              軸部平行部分
４ａ１ａ            入射面
４ａ１ｂ，４ａ１ｃ  反射面
４ａ２              取っ手部平行部分
４ａ２ａ            出射面
４ａ３              湾曲部分
１０                ドアハンドル装置
【図１】
0005430307.tif 000002
【図２】
0005430307.tif 000003
【図３】
0005430307.tif 000004
【図４】
0005430307.tif 000005
【図５】
0005430307.tif 000006
【図６】
0005430307.tif 000007
【図７】
0005430307.tif 000008
【図８】
0005430307.tif 000009
【図９】
0005430307.tif 000010
【図１０】
0005430307.tif 000011
【図１１】
0005430307.tif 000012
【図１２】
0005430307.tif 000013
【図１３】
0005430307.tif 000014
【図１４】
0005430307.tif 000015
【図１５】
0005430307.tif 000016
【図１６】
0005430307.tif 000017